(57)【要約】【課題】立体映像および高画質映像信号の記録された光ディスク及びそれを再生するシステムにおいて通常映像を再生する従来のシステムとの互換性の実現を目的とする。【解決手段】第１映像信号と第２映像信号を1ＧＯＰ以上のフレーム群に各々分割し、左右交互に光ディスク１上に記録したインターリーブブロックを、立体/高画質対応型再生装置では、第１と第２のインターリーブブロックの双方を再生することにより立体映像もしくは高画質映像を得、立体/高画質非対応型の再生装置では、第１もしくは第２インターリーブブロックの一方のみをトラックジャンプして再生し、通常映像を得る。【選択図】図３
2010020898.tif 000002
【特許請求の範囲】
【請求項１】
デジタルストリームが記録されている記録媒体と前記記録媒体を再生する再生装置とを備えた記録媒体再生システムであって、
前記記録媒体は、
所定の信号が記録されており、
前記所定の信号は、
第１映像ストリームと第２映像ストリームとを含む、少なくとも２つ以上の映像ストリームを含み、
前記第１映像ストリームと前記第２映像ストリームは、立体映像用のデジタルデータであり、
前記第１映像ストリームは、複数の第１インターリーブブロックに分割されており、
前記第２映像ストリームは、複数の第２インターリーブブロックに分割されており、
前記第１インターリーブブロックは、第１時間情報を有しており、
前記第２インターリーブブロックは、第２時間情報を有しており、
前記第１インターリーブブロックと、前記第２インターリーブブロックが、特定の順番で記録されており、
さらに、前記光ディスク上に立体映像用のデジタルデータが存在するか否かが分かる情報が記録されており、
前記再生装置は、
第１復号手段と、第２復号手段を有し、
前記情報が、前記光ディスク上に立体映像用のデジタルデータが存在することを示している場合、
前記第１インターリーブブロックを、前記第１復号手段によって第１映像信号に復号し、
前記第２インターリーブブロックを、前記第２復号手段によって第２映像信号に復号し、
前記第１映像信号と前記第２映像信号を、前記第１時間情報もしくは／かつ前記第２時間情報に基づいて、出力することを特徴とする記録媒体再生システム。
【請求項２】
前記第１復号手段と前記第２復号手段は、単一のデコーダであることを特徴とする、請求項１記載の記録媒体再生システム。
【発明の詳細な説明】
【技術分野】
【０００１】
本発明は立体映像および高画質映像が記録された光ディスクおよび、その光ディスクの再生装置、記録装置に関する。
【背景技術】
【０００２】
従来、立体動画を記録した光ディスクと再生装置としては、図１０に示すようなものが知られている。これは、光ディスク２０１に、右眼画面を偶数フィールド領域２０４、２０４ａ、２０４ｂに、左眼画面を奇数フィールド領域２０３、２０３ａ、２０３ｂに、交互に記録したものである。この光ディスク２０１を図１１に示すような既存の光ディスク再生装置２０５で再生するとＴＶ２０６には、６０分の１秒毎に右眼画像、左眼画像が交互に現われる。裸眼では、右眼と左眼の画像が２重になった画像しかみえない。しかし、６０分１秒毎に右眼と左眼のシャッタが切り替わる立体メガネ２０７でみると立体画像がみえる。図１２に示すように、ＭＰＥＧ信号の１ＧＯＰ（Ｇｒｏｕｐ  ｏｆ  Ｐｉｃｔｕｒｅの略）の中の各インターレース信号に右眼映像と左眼映像が１フィールド毎に交互にエンコードされている。
【０００３】
また高画質映像としてはプログレッシブ方式が検討されている。
【発明の概要】
【発明が解決しようとする課題】
【０００４】
次に、従来例の課題を述べる。従来の立体型光ディスクを標準の再生装置で再生した場合、立体画像でない普通の画像つまり２Ｄ画像は出力されない。立体光ディスクは立体ディスプレイが接続された再生装置でないと再生できない。このため、同じコンテンツの立体光ディスクと２Ｄ光ディスクの２種類を制作する必要があった。高画質映像も同様である。つまり従来の立体および高画質光ディスクは通常映像との互換性がなかった。次に発明の目的を述べる。
【０００５】
本発明の目的は互換性をもつ立体および高画質光ディスクおよび再生システムを提供することにある。互換性の定義を明確にすると、丁度、過去のモノラルレコードとステレオレコードの関係の互換性である。つまり新しい立体光ディスクは、既存の再生装置では、モノラルビジョン、つまり２Ｄで出力され、新しい再生装置ではモノラルビジョンもしくはステレオビジョンつまり立体画像が出力される。
【課題を解決するための手段】
【０００６】
この目的を達成するために、本発明の光ディスクはまず左右各々３０フレーム／秒のフレームレートの２つの動画を入力し、片側の眼もしくはプログレッシブ画像のフィールド成分の画像データの複数のフレームの画像を１ＧＯＰ以上まとめた画像データ単位を作成し、この画像データ単位の１つが、光ディスクのトラック上に１回転分以上記録されるようなインターリーブブロックを設け、左右の画像データ単位がインターリーブつまり、交互に配置されるように記録するとともに、立体画像や高画質映像の映像識別子の情報を記録したものである。
【０００７】
この光ディスクを２Ｄの通常の再生用の光ディスク再生装置で再生すると、通常の２Ｄの動画が再生される。
【０００８】
次に、本発明の立体画像・高画質映像対応型の再生装置は、光ディスクから画像識別子情報を再生する手段と、この情報に基づいて２Ｄ画像を従来の手順で再生する手段と、３Ｄ画像や高画質映像を画像を再生する手段と、立体画像・高画質映像を出力する手段とを備えたものである。
【発明の効果】
【０００９】
基本映像信号と補間映像信号を、１ＧＯＰ以上のフレーム群に各々分割し、交互にインターリーブしてインターリーブブロック５４、５５として光ディスク上に記録することにより、プログレシブ（立体）対応型再生装置では、奇数フィールド（右眼用）と偶数フィールド（左眼用）右と左のインターリーブブロックの双方の情報を再生することによりプログレシブ（立体）映像を得ることができる。またプログレシブ（立体）非対応型再生装置で、プログレシブ（立体）映像を記録したディスクを再生した場合は、奇数フィールド（右眼）もしくは偶数フィールド（左眼）のインターリーブブロックの一方のみをトラックジャンプして再生することにより、完全な２次元の通常映像を得ることができる。こうして相互互換性が実現するという効果がある。
【００１０】
とくにプログレシブ（立体）映像の配置情報ファイルを設け、プログレシブ（立体）映像識別子を光ディスクに記録してある。従ってどこにプログレシブ（立体）映像が存在するか容易に判別できるので２つの通常インターレース信号をプログレシブ化することや立体テレビの左目と右目に、誤って異なる２つのコンテンツの画像をそれぞれ出力する失敗を防止できるという効果がある。
【００１１】
立体映像対応再生装置では２次元で用いるポインターを用いて、立体映像識別子がある場合のみ、アクセス手順を変更する本発明の方法を使うことにより、立体映像を連続して再生することを可能としている。２次元のフォーマットを変更することなしに立体映像対応再生装置を実現することができる。
【図面の簡単な説明】
【００１２】
【図１】本発明の一実施形態の記録装置を示すブロック図
【図２】本発明の一実施形態の入力信号と記録信号との関係を示すタイムチャート
【図３】本発明の一実施形態の光ディスク上のインターリーブブロックの配置を示す光ディスクの上面図
【図４】本発明の一実施形態の立体映像配置情報を示す図
【図５】本発明の一実施形態の立体映像の再生装置を示す図
【図６】本発明の一実施形態の再生装置における記録されている信号と映像出力信号との関係を示すタイムチャート
【図７】本発明の一実施形態の再生装置の別の方式のＭＰＥＧデコーダを示すブロック図
【図８】本発明の一実施形態の再生装置の２Ｄ再生時の記録信号と出力信号の関係を示すタイムチャート
【図９】本発明の一実施形態の２Ｄ型再生装置を示すブロック図
【図１０】従来の一実施形態の立体映像を記録した光ディスクのデータ配置を示す上画図
【図１１】従来の一実施形態の立体映像を記録した光ディスクを再生する再生装置のブロック図
【図１２】従来の一実施形態の立体映像型光ディスクを再生した記録信号と映像出力との関係を示すタイムチャート
【図１３】本発明の一実施形態の仮想的な立体映像識別子とＲ出力、Ｌ出力との関係を示すタイムチャート
【図１４】本発明の一実施形態の通常映像再生モードと立体映像再生モードのポインターのアクセスの違いを示す再生シーケンス図
【図１５】本発明の一実施形態の立体映像信号を再生する場合と再生しない場合のポインターのアクセスの手順を変えたフローチャート（その１）
【図１６】本発明の一実施形態の立体映像信号を再生する場合と再生しない場合のポインターのアクセスの手順を変えたフローチャート（その２）
【図１７】本発明の一実施形態の立体映像再生装置における立体映像である場合とない場合に出力を変更するフローチャート
【図１８】本発明の一実施形態の立体映像論理配置テーブルに立体映像識別子が入った状態を示す図
【図１９】本発明の一実施形態の立体映像論理配置テーブルの立体映像識別子から、各チャプタ、各セル、各インターリーブブロックの立体映像の属性を特定する手順を示すフローチャート
【図２０】本発明の一実施形態の再生装置のインターレース映像信号出力モード時のブロック図
【図２１】本発明の一実施形態の再生装置のプログレシブ映像信号出力モード時のブロック図
【図２２】本発明の一実施形態の記録装置のプログレシブ映像信号入力モード時のブロック図
【図２３】本発明の一実施形態の記録装置の立体映像信号入力モード時のブロック図
【図２４】本発明の一実施形態の再生装置の立体映像信号再生モード時のブロック図
【図２５】本発明の一実施形態の４倍速の再生装置の立体プログレシブ映像信号再生モード時のブロック図
【図２６】本発明の一実施形態の再生装置のマルチストリームのプログレシブ映像再生時のブロック図
【図２７】本発明の一実施形態の光ディスク全体のデータ構造を示す図
【図２８】本発明の一実施形態の図２７中のボリューム情報ファイルの内部構造を示す図
【図２９】本発明の一実施形態のシステム制御部Ｍ１−９によるプログラムチェーン群の再生処理の詳細な手順を示すフローチャート
【図３０】本発明の一実施形態のＡＶ同期制御１２−１０に関するＡＶ同期を行う部分構成を示すブロック図
【図３１】本発明の一実施形態のデータストリームがデコーダのバッファ、デコード処理を経て、再生出力されるタイミング図
【図３２】本発明の一実施形態のインターレース信号を得る場合にフィルタのＯＮ／ＯＦＦによりインターレース妨害を低減する方法を示す図
【図３３】本発明の一実施形態のＤＶＤディスクへ記録する場合のフォーマットを調整する記録方法を示す図
【図３４】本発明の一実施形態のＤＶＤディスクから再生する場合のタイミングを調節する方法を示す図
【図３５】本発明の一実施形態の映像ストリーム切替時のインターリーブブロックの再生を示すタイムチャート
【図３６】本発明の一実施形態の２つのプログレシブ映像信号をインターリーブブロックに分割して記録する原理図
【図３７】本発明の一実施形態のＶＯＢの最初のダミーフィールドをスキップするフローチャート
【図３８】本発明の一実施形態のシームレス接続時のＳＴＣ切替のフローチャート
【図３９】本発明の一実施形態のデータ復合処理部のブロック図
【図４０】本発明の一実施形態のスコープ（ワイド）画像を水平方向に分離して、インターリーブブロックに記録する原理図
【図４１】本発明の一実施形態のスコープ（ワイド）画像が分離されて記録されている光ディスクからスコープ画像を合成し、３−２変換する原理図
【図４２】本発明の一実施形態光ディスクのシステムストリーム、ビデオデータの構成図
【図４３】本発明の一実施形態のシームレス接続時のフローチャート
【図４４】本発明の一実施形態の水平、垂直方向の補間情報を分離してインターリーブブロックに記録する方法を示す図
【図４５】本発明の一実施形態のプログレシブ、立体、ワイド信号の再生時のバッファのデータ量とのタイミングチャート
【図４６】本発明の一実施形態の水平フィルタ、垂直フィルタの構成図
【図４７】本発明の一実施形態のダミーフィールドを入れる信号配置図
【図４８】本発明の一実施形態の既存のエンコーダを用いて、プログレシブ信号をエンコードした場合のタイムチャート
【図４９】本発明の一実施形態の画像識別子の信号フォーマットを示す図
【図５０】本発明の一実施形態の垂直フィルタ、水平フィルタの識別子の内容を示す図
【図５１】本発明の一実施形態の１０５０インターレース信号の分割記録原理の図
【図５２】本発明の一実施形態のプログレシブ信号とＮＴＳＣ信号とＨＤＴＶ信号を出力する信号配置図
【図５３】本発明の一実施形態のビデオプレゼンタイムスタンプを参照しながらインターリーブブロックを再生するプログレシブ再生方法を示す図
【図５４】本発明の一実施形態のサイマルキャスト方式のＨＤＴＶサブ信号とＮＴＳＣ信号の配置図
【図５５】本発明の一実施形態のサイマルキャスト方式のＨＤＴＶ／ＮＴＳＣ共用ディスク用の再生装置のブロック図
【発明を実施するための形態】
【００１３】
（実施の形態）
以下、本発明の実施の形態について、図を用いて説明する。
【００１４】
まず前半で立体映像と高画質映像の記録およびその再生の方法を述べ、後半部では高画質映像の実現方法を述べる。
【００１５】
本発明の記録においては、立体映像やワイド映像の場合は、右眼と左眼の２画面や水平方向に分割した２画面を用いて分割記録する。この２画面は、奇数ラインから始まるフィールド映像であり、これをＯｄｄ  Ｆｉｒｓｔ信号と呼ぶ。また、プログレシブ映像を垂直方向に、２画面に分割して記録する場合は、この２画面は奇数ラインから始まるフィールド信号と偶数ラインから始まるフィールド信号となり、各々Ｏｄｄ  Ｆｉｒｓｔ信号、Ｅｖｅｎ  Ｆｉｒｓｔ信号と呼ぶ。
【００１６】
なお本文では、インターリーブした１ＧＯＰ以上の画像情報の記録単位をインターリーブブロックと呼ぶが、フレーム群ともよぶ。
【００１７】
図１は、本発明の光ディスクの記録装置２のブロック図を示す。立体画像の右眼用の信号をＲ−ＴＶ信号、左眼用の信号をＬ−ＴＶ信号と呼び、Ｒ−ＴＶ信号、Ｌ−ＴＶ信号はＭＰＥＧエンコーダ３ａ、３ｂにより、ＭＰＥＧ信号に圧縮され、図２の（２）に示すようなＲ−ＭＰＥＧ信号、Ｌ−ＭＰＥＧ信号が得られる。これらの信号はインターリーブ回路４により図２（３）に示すように、Ｒ−ＭＰＥＧ信号のＲフレーム５を１ＧＯＰ以上のフレーム数のフレーム群をまとめたＲフレーム群６、Ｌ−ＭＰＥＧ信号のＬフレーム７を１ＧＯＰ以上のフレーム数集めたＬフレーム群８とが交互に配置されるようにインターリーブされる。この記録単位をインターリーブブロックとよぶが、本文ではフレーム群ともよぶ。
【００１８】
再生時に右眼用信号と左眼用信号が同期するようにこれらのＲフレーム群６とＬフレーム群８の各フレームは同じ時間のフレームが同じフレーム数だけある。これを画像データ単位とも呼ぶが、この１単位は０．４秒から１秒の時間のデータが記録される。一方、ＤＶＤの場合、最内周で１４４０ｒ．ｐ．ｍつまり２４Ｈｚである。このため図２の（４）に示すように、インターリーブブロックは、ディスクの１回転以上十数回転分にわたって記録される。図１に戻るとアドレス情報はアドレス回路１３より出力され、立体画像配置情報は立体画像配置情報出力部１０より出力され、記録回路９により、光ディスク上に記録される。この立体画像配置情報には、立体画像が光ディスク上に存在するかどうかを示す識別子又は、図４の立体画像配置表１４が含まれている。図４に示すようにＲとＬの立体映像が配置されているチャンネル番号や開始アドレスと終了アドレスが示されている。
【００１９】
この配置情報や識別情報をもとに再生装置では、立体映像を正しくＲ、Ｌ出力として出力する。誤って異なる通常映像がＲとＬに出力されると、使用者の右眼と左眼に関連のない映像のため不快感を与える。立体映像配置情報もしくは立体映像識別子はこのような不快な映像を出力することを防止するという効果がある。くわしい用い方は後の再生装置の説明の項で述べる。
【００２０】
ここで立体映像配置情報の具体的な実現方法を述べる。ＤＶＤ規格の光ディスクの場合、光ディスクの記録開始領域にコンテンツのディレクトリーや目次情報のファイルが規格化され記録されている。しかし、これらのファイルには立体映像に関する記述はない。そこで、図１８に示す立体映像論理配置表５１の入った立体映像論理配置ファイル５３を儲け、立体に対応した再生装置がこのファイルを読み出せばよい。通常の２Ｄの再生装置は立体論理配置ファイル５３を読まないが、３Ｄを再生しないので、支障はない。
【００２１】
さて、図１８の説明に入る。ＤＶＤのビデオ情報は３つの論理階層からなっている。映画等作品タイトルを表すビデオタイトルセット（ＶＴＳ）層、タイトルの中のチャプタを示すパートオブビデオタイトル層（ＰＶＴ）、チャプタの中のストリームを示すセル層（Ｃｅｌｌ）の３つである。
【００２２】
各層別に立体映像の配置を示す。０００は立体やプログレシブが全くないこと。１１０は全部立体であること。００１は立体部分と非立体とが混在することを意味する。
【００２３】
図１８ではＶＴＳ層のタイトル１は“００１”つまり３Ｄと通常映像が混在することを意味し、タイトル２は“１１０”つまり全てが立体である。タイトル３は“０００”つまり立体がないことを示す。以上からタイトル２、３の下の階層には立体清報は不要となる。
【００２４】
さて、タイトル１のＰＶＴ層ではチャプタ２は“０００”で立体のセルなし、チャプタ３は“１１０”で全てのセルが立体である。従ってセル層には立体情報は不要となる。チャプタ１は“００１”で立体のセルと通常のセルとが混在することがわかる。チャプタ１のセル層をみると、セル１、２が第１ストーリーのＲとＬ、セル３、４が第２ストーリーのＲとＬであり、セル５、６は通常映像が記録されていることがわかる。
【００２５】
このように立体映像論理配置ファイルを別途光ディスクに記録することにより、従来ファイルを変更しないので互換性を保てる。また、この論理情報により、光ディスク上の全ての物理情報がわかるので、２つの異なるコンテンツの通常映像を左と右の眼に表示させる誤動作を防ぐことができる。
【００２６】
また、立体映像を的確に再生し、デコードし、正しい出力部から右眼と左眼にＲとＬの映像を与えることができる。
【００２７】
ここで、図１９のフローチャートを用いて、立体映像論理配置表より、各セルが立体映像かどうかを判別する手順を示す。
【００２８】
ステップ５１ａで立体映像論理配置表５２を光ディスクの最初の記録領域より読み出す。
【００２９】
ステップ５１ｂで、タイトルｎの図１８に示すＶＴＳ層の内容をチェックし、“０００”なら立体のセルでないと判断し、３Ｄ処理を行わない。
【００３０】
ステップ５１ｃでＶＴＳ＝１１０ならステップ５１ｄで全セルが３Ｄであると扱い、ステップ５１ｅで奇数セル＝Ｒ、偶数セル＝Ｌとして扱う。
【００３１】
ステップ５１ｆでは、タイトルｎの全てが立体であるとの表示をメニュー画面に表示させる。ステップ５１ｇでＶＴＳ＝００１なら、ステップ５１ｉで下の階層のチャプタｎの配置情報をチェックし、ステップ５１ｊでＰＶＴ＝０００ならステップ５１ｋでチャプタｎに３Ｄのセルはないと判断し、ステップ５１ｍでＰＶＴ＝１１０ならステップ５１ｎでチャプタの全てのセルが３Ｄであると判断し、ステップ５１ｄに進み前述と同じようにメニュー画面の該当チャプタは立体の表示を付加する。
【００３２】
ステップ５１Ｐに戻り、ＰＶＴ＝００１ならＰＶＴ＝００１のチャプタのセル番号＝ｎを１つずつチェックし、ステップ５１ｓでＣｅｌｌ＝０００なら３Ｄでないと判断し、ステップ５１ｑに戻る。ステップ５１ｕでＣｅｌｌ＝ｍ−Ｒならステップ５１ｖでｍストーリーのＲと判断し、ステップ５１ｗでＣｅｌｌ＝ｍ−Ｌならステップ５１ｘでｍストーリーのＬと判断し、ステップ５１ｑで次のセルをチェックする。
【００３３】
こうして図１８の立体映像論理配置テーブル５２の追加記録により、全てのビデオのタイトル、チャプタ、セルが立体か立体でないかを判別できるという効果がある。
【００３４】
さて、これを図３のディスクの上面図で説明する。ディスク１にはスパイラルの１本のトラックが形成されており、Ｒフレーム群６はＲトラック１１、１１ａ、１１ｂの複数本のトラックにわたって記録される。実際には５〜２４本の複数トラックにわたって記録される。Ｌフレーム群８はＬトラック１２、１２ａ、１２ｂに、次のＲフレーム群６ａはＲトラック１１ｃ、１１ｄ、１１ｅに記録されている。
【００３５】
さて、図５の本発明の３Ｄの再生装置のブロック図と図６のタイミングチャートを用いて、再生動作を説明する。光ディスク１から光ヘッド１５と光再生回路２４により信号を再生し立体映像配置情報再生部２６により立体映像識別子を検出した場合、もしくは図４に示したような立体映像配置表１４で立体映像があると指定されている映像データを再生する場合に、入力部１９等より立体画像出力の指示がある場合立体画像の処理を行うと同時にＳＷ部２７を制御してＲ出力部２９とＬ出力部３０からＲ信号とＬ信号を出力させＲＬ混合回路２８よりＲとＬをフィールド毎に交互に出力させる。
【００３６】
さて、図５と図６を用いて立体画像再生の動作を述べる。光ディスク上には、図２の（３）で説明したように各々１ＧＯＰ以上のフレームをもつＲフレーム群６とＬフレーム群８が交互に記録されている。図６では（１）がこの全体図を（２）が部分図を示す。図５の光再生回路２４の出力信号は図６の（２）のようになる。この信号をＳＷ部２５によりＲ信号とＬ信号に分離し、各々第１バッファ回路２３ａと第２バッファ回路２３ｂによりＲ信号とし信号の時間軸を元の時間に一致させる。これにより図６の（４）（５）に示すようなＲ及びＬ−ＭＰＥＧデコーダの入力信号が得られる。この信号を図５のＭＰＥＧデコーダ１６ａ、１６ｂで各々処理することにより、図６の（６）（７）に示すように互いに同期したＲ、Ｌ出力信号が映像出力部３１に送られる。音声信号は音声出力部３２において伸長され、出力される。
【００３７】
このようにして、ＲとＬの２つの出力が同時に出力されるので、Ｒ、Ｌ２出力の立体ＴＶにはＲ出力部２９とＬ出力部３０から各々、６０ｆｐｓ（フレーム／秒）の信号を送れば、フリッカレスの映像が得られる。またＲＬ混合出力部２８からは６０フィールド／秒のＲＬ混合出力を送れば、一般ＴＶと３Ｄメガネで、フリッカはあるが３Ｄ映像を観賞できる。１２０フィールド／秒のＲＬ混合出力を出力すれば倍スキャンＴＶと３Ｄメガネでフリッカレスの３Ｄ映像を観賞できる。また立体映像コンテンツであるのに、立体出力をしない場合は“立体”表示信号出力部３３より、信号を追加し、ＴＶ画面に立体を意味する記号を表示させる。これにより、使用者に立体ソフトを２Ｄモードでみていることを通知させることにより、立体出力に切り替えることを促すという効果がある。
【００３８】
また、図５のブロック図では、ＭＰＥＧデコーダを２ヶ使っているが、図７に示すように、Ｒ−ＭＰＥＧ信号とＬ−ＭＰＥＧ信号を合成部３６で一つのＭＰＥＧ信号とし倍クロック発生部３７より、倍クロックを発生させ、倍クロック型のＭＰＥＧデコーダ１６ｃで倍の演算し、伸長し、分離部３８でＲとＬの映像信号として出力する回路構成により、構成を簡単にできる。この場合、２Ｄ再生装置に比べて、メモリ３９に１６ＭＢ  ＳＤ−ＲＡＭを追加するだけでよいためコスト上昇が少ないという効果がある。
【００３９】
次に、１倍速で回転させＲ信号のみをとり出す手順を述べる。ＤＶＤ再生装置の標準回転を１倍速、標準の倍速回転を２倍速と呼ぶ。２倍速でモーター３４を回転させる必要はないため、制御部２１より１倍速命令を回転数変更回路３５に送り、回転数を下げる。Ｒ信号とＬ信号が記録されている光ディスクより、１倍速でＲ信号のみをとり出す手順を図８のタイムチャート図を用いて説明する。図６の（１）（２）で説明したように本発明の光ディスクにはＲフレーム群６とＬフレーム群８が交互に記録されている。これを図８（１）（２）に示す。
【００４０】
この信号と図８（３）のディスクの１回転信号とを比較すると１つのフレーム群の再生中には、光ディスクは５〜２０回転することになる。ここで、Ｒフレーム群６からＲフレーム群６ａに光ヘッドをトラックジャンプさせると隣接トラックのトラックジャンプ時間は数十ｍｓ要する。回転待ち時間を最大の１回転とすると、２回転の間にＲフレーム群６ａのデータを再生できることになる。これを図８（４）（５）の再生信号図とディスクの１回転信号のタイムチャートに示す。図８（４）の再生信号は図５のバッファ回路２３ａにより時間軸が調整され、図８の（６）のような連続したＲのフレームのＭＰＥＧ信号がバッファ２３ａより出力される。この信号はＭＰＥＧデコーダ１６ａにより図８の（７）のようなＲの映像信号として伸長される。Ｒ信号と同様別のチャンネルを選択すればＬ信号の２Ｄ信号が得られる。
【００４１】
本発明のように１ＧＯＰ以上のフレーム信号群にＲ又はＬを割りあて、かつ、上記フレーム信号群を複数トラックにわたり、連続的に記録することにより、１倍速の再生装置でも、３Ｄの光ディスクを再生してもＲのみの２Ｄ出力が得られるという効果がある。
【００４２】
このことから図９のブロック図に示すように図５の３Ｄの再生装置のバッファ回路２３を一つにし、ＭＰＥＧデコーダ１６を１にし、映像出力部１７を一つにすることにより、２Ｄ専用の再生装置ができる。この２Ｄ再生装置４０には立体映像配置情報再生部２６があるので、３Ｄの光ディスク１の立体映像の識別子や配置情報を再生する。従って、３Ｄの光ディスクを２Ｄ再生装置で再生した場合ＲとＬの各チャンネルのいずれか一方が出力される。ＲとＬは同じ画像であるので、チャンネルをチャンネル選択部２０で変えて出力させるのは、時間の無駄である。しかし、本発明では、立体チャンネル出力制限部４１が上記の立体映像識別子を用いて、立体映像のＲのみといった片側だけのチャンネルに出力制限する。このことにより、同じ映像コンテンツのＲとＬのうち一方しか選択できなくなるので、ユーザが不必要なチャンネルを選択しなくていいという効果がある。
【００４３】
また、立体コンテンツの場合“立体”の表示が画面もしくは再生装置の表示部４２に“立体”表示信号出力部３３より表示されるので立体コンテンツであることをユーザが認識できる。このように、本発明の光ディスクは図５の立体用再生装置４３では、２Ｄと立体映像が、図９の２Ｄ用再生装置では、２Ｄ映像が得られるという互換性が実現する。
【００４４】
さて、３Ｄの再生装置に戻り、立体映像識別子の用い方と効果を述べる。
【００４５】
図１３は立体映像識別子と出力信号とのタイムチャートを示す。図１３の（３）以降は１インターリーブブロック時間単位と定義すると、１ｔ分の遅延時間が発生するが図には示していない。図１３の（１）の立体映像識別子はｔ＝ｔ７で１から０に変わる。図１３の（２）の記録信号はｔ１〜ｔ７までは、立体映像のＲフレーム群６、６ａ、６ｂとＬフレーム群８、８ａ、８ｂが記録される。一方ｔ７〜ｔ１１には全く異なるコンテンツであるＡ、Ｂが第１フレーム群４４、４４ａと第２フレーム群４５、４５ａが記録されている。ＤＶＤ等の規格では立体画像の規定はないので、データやディレクトリー情報の中には立体映像識別子はない。従って光ディスクが立上がる時に本発明の立体映像配置情報ファイルを読み出す必要がある。
【００４６】
図１３の（３）（４）のＲ出力、Ｌ出力ではｔ１〜ｔ７では第１のタイムドメイン４６、４６ａ、４６ｂのデータはそのままＲ出力に、第２タイムドメイン４７、４７ａ、４７ｂのデータはそのままＬ出力に出力すればよい。ｔ＝ｔ７以降では立体映像識別子がないためＲ出力とＬ出力に第１タイムドメイン４６ｃ、４６ｄの同じデータを出力させる。
【００４７】
別の出力方式である図１３（５）（６）の混合出力では立体映像識別子が１であるｔ１〜ｔ７は６０Ｈｚ又は１２０Ｈｚのフィールド周波数で１つの出力から偶数フィールド信号４８、４８ａと奇数フィールド信号４９、４９ａを交互に出力する。偶数フィールド信号に第１タイムドメイン４６、４６ａのデータを出力し、奇数フィールド信号に第２タイムドメイン４７、４７ａのデータを出力する。
【００４８】
しかし、立体映像がないｔ７以降は第１タイムドメイン４６ｃ、４６ｄのデータを偶数フィールド信号４８ｄ、４８ｅと奇数フィールド信号４９ｄ、４９ｅの双方に出力させる。
【００４９】
以上のように、立体映像配置情報により立体映像がないことが示されている領域と示されていない領域とで信号の立体ディスプレイへの出力を変えることにより、使用者の右眼と左眼に異なるコンテンツの映像を入力させることが防止されるという効果がある。もし、この機能がないと立体映像の同じコンテンツの右画像と左画像を観賞している時に、光ディスクの第１タイムドメインと第２タイムドメインの映像が別コンテンツになった時右眼にＡコンテンツ、左眼にＢコンテンツの異常な画像が表示され使用者に不快感を与えることになる。
【００５０】
図１７のフローチャートを用いて、上述の手順をくわしく説明する。ステップ５０ａで光ディスクが装着され、ステップ５０ｂでディスクのコンテンツリストのファイルを読み込む。ここには立体映像の情報はない。ステップ５０ｃで立体映像配置情報を読む。ステップ５０ｄで、読み込んだ立体配置情報に基づき、ディスク内のコンテンツリストを表示する時にメニュー画面に各コンテンツごとに立体表示のマーキングを表示する。こうして、ユーザは立体映像の存在を識別できる。この情報は光ディスク全体に一つあっても、ＤＶＤの各データ単位のナビゲーション情報に入れてもよい。
【００５１】
ステップ５０ｅでは、特定アドレスのデータを再生し、ステップ５０ｆでは、立体映像配置情報を参照して、このデータが立体映像であるかを判別する。もし、Ｙｅｓであれば、ステップ５０ｇで立体映像配置情報のデータから例えば第１タイムドメイン４６が、Ｒ信号で第２タイムドメイン４７がＬ信号なら、各々の信号をデコードし、第１タイムドメイン４６のデータを右眼用画像として出力し、第２タイムドメイン４７のデータを左眼用画像として出力する。各々の画像は同期させる。次のデータを再生する時はステップ５０ｅ、５０ｆに戻り、立体映像であるかをチェックする。立体映像でない場合は、ステップ５０ｈに進み、例えば第１ドメイン４６もしくは第２タイムドメイン４７のいずれか一方のデータを、右眼用画像と左眼用画像として同一の画像を出力する。こうして左右の眼に異なるコンテンツの画像が出力されることが防止される。
【００５２】
次に本発明ではインターリーブブロック方式の通常映像を再生する場合と、インターリーブブロック方式の立体映像を再生する場合とでは手順を変え再生している。この本発明の工夫を述べる。
【００５３】
図１４にタイムチャート図の（１）の光ディスク上の記録データに示すように、第１インターリーブブロック５６にはＡ１のデータと、次にアクセスすべき第１インターリーブブロック５６ａの先頭アドレスａ５が記録されている。つまり、次のポインター６０が記録されているため、図１４の（２）に示すように、第１インターリーブブロック５６を再生し終えると、ポインター６０ａのアドレスをアクセスするだけで、トラックジャンプして、１００ミリ秒の間に、次の第１インターリーブブロック５６ａをアクセスし、Ａ２のデータを再生することができる。同様にしてＡ３のデータも再生できる。こうして、コンテンツＡ３を連続的に再生できる。
【００５４】
これに対し、図１４の（３）で示すＲとＬの立体映像が記録された光ディスクは、互換性を保つため図１４の（１）と同じフォーマットにする必要があるため、同じポインター６０が入っている。このためポインターを無視しないと立体映像は再生できないことになる。また、立体映像論理配置表から、各セルの立体識別子６１は定義できる。このため各インターリーブブロック５４、５５、５６、５７の立体識別子６１も論理的に定義できる。これを図に示す。Ｒ１とＬ１を再生しジャンプしてＲ２とＬ２を再生するには、ポインターをそのまま使えない。具体的にＲインターリーブブロック５４を再生完了するとポインターａ５のアドレスをアクセスするのではなく、次のＬインターリーブブロック５５を再生した後、Ｒインターリーブブロックのポインターであるａ５にトラックジャンプしてアクセスする。この場合、Ｌインターリーブブロック５５のポインター６０ｂは無視されたことになる。立体識別子が１のインターリーブブロックを再生するときは、ポインターアドレスのアクセス手順を通常映像の場合と変えることにより、図１４の（４）のようにＲとＬを連続的に再生できるという効果がある。
【００５５】
では図１５、１６のフローチャートを用いて、立体映像識別情報を用いて、インターリーブブロックのアクセス時のポインターを変更する手順を述べる。
【００５６】
まず、ステップ６２ａで特定のセルのアドレスへのアクセス命令がくる。ステップ６２ｂでアクセスすべきアドレスを立体映像配置情報を参照し、立体映像かを判別する。ステップ６２ｃで、立体映像でなければステップ６２ｔへ進み、通常映像の１処理を行う。ステップ６２ｃで立体映像であれば、ステップ６２ｄへ進み、使用者等の立体映像を再生するかをチェックし、ＮＯなら“立体映像”の表示を画面に出力させ、ステップ６２ｔへ進む。
【００５７】
さて、ステップ６２ｄがＹｅｓなら、ステップ６２ｅで立体映像配置情報を読み出し、チャプタ番号やＲのセル番号、Ｌのセル番号等からＲやＬのインターリーブブロックの配置を算出する。ステップ６２ｇで、第ｎ番目のＲインターリーブブロックを再生し、ステップ６２ｈでＲインターリーブブロックとＬインターリーブブロックに記録されているポインターを読み出し、ポインタメモリに記憶する。ステップ６２ｉで前回、つまりｎ−１回目のポインターＡＬ（ｎ）をポインタメモリより読み出す。ステップ６２ｊでＡＬ（ｎ）とＡＲ（ｎ）が連続しているかをチェックし、ＮＯであれば、ステップ６２ｋでアドレスＡＬ（ｎ）へジャンプする。
【００５８】
図１６に移り、ステップ６２ｍでは、ｎ番目のＬインターリーブブロックを再生し、ステップ６２ｎでｎ＋１のポインターアドレスを再生する。ステップ６２Ｐは全データを再生完了したかをチェックする。ステップ６２ｑでは、ｎ番目のＬインターリーブブロックと（ｎ＋１）番目のＲインターリーブブロックが連続記録されているかをチェックし、連続していないなら、ステップ６２ｒでＡＲ（ｎ＋１）へトラックジャンプして、ステップ６２ｆへ戻る。Ｙｅｓの場合はステップ６２ｆへ戻る。
【００５９】
さて、ステップ６２ｔの立体映像を表示しない場合はｈセルの開始アドレスＡ（１）をアクセスし、１番目のインターリーブブロックを再生し、次にステップ６２ｕでアドレスＡ（ｎ）のｎ番目のインターリーブブロックを順次再生していく。この時、各インターリーブブロックには、次の続きのインターリーブブロックにトラックジャンプして、アクセスするためのポインターアドレスＡ（ｎ＋１）をステップ６２ｖで読み出し、ステップ６２ｗでデータ再生が全て完了したかをチェックし、完了ならＡのフローチャートの最初のステップ６２ａに戻る。完了してなければ、ステップ６２ｘでＡ（ｎ）とＡ（ｎ＋１）の開始アドレスをもつインターリーブブロックが連続しているかをチェックし、Ｙｅｓならジャンプしないでステップ６２ｕの前のステップに戻る。ＮＯならステップ６２ｙでアドレスＡ（ｎ＋１）へジャンプする。
【００６０】
次に図２０に示す２倍速のプログレシブやスーパーワイド画像や７２０Ｐ再生用の再生装置のブロック図を用いて、本発明の再生装置６５での再生動作を詳しく説明する。光ディスク１から再生した信号は、１ＧＯＰ単位以上のフレーム信号からなる第１インターリーブブロック６６、第２インターリーブブロック６７単位に、分離部６８で分離される。伸長部６９でＭＰＥＧ伸長された、秒３０フレームのフレーム映像信号７０ａ、７０ｂはフィールド分離部７１ａ、７１ｂで奇数フィールド信号７２ａ、７２ｂと偶数フィールド信号７３ａ、７３ｂに分離され、２ｃｈのＮＴＳＣのインターレース信号７４ａ、７４ｂが出力される。図２０のワイド画面に関しては後述する。
【００６１】
次に図２２を用いて、プログレシブ映像信号の場合のエンコードの動作を述べる。
【００６２】
ｔ＝ｔ１とｔ２でプログレシブ映像信号７５ａ、７５ｂが入力され、合成部７６でｔ１とｔ２の信号が合成信号７７として一旦合成される。合成信号７７は分離部７８でジグザグに取り出し、奇数インターレース信号７９ａ、７９ｂと偶数インターレース８０ａ、８０ｂを作成する。この奇数インターレース信号７９ａ、７９ｂと偶数インターレース信号８０ａ、８０ｂを各々合成して、フレーム信号８１ａ、８１ｂを合成する。ＭＰＥＧの圧縮部８２ａ、８２ｂで圧縮した圧縮信号８３ａ、８３ｂを１０〜１５フレーム１ＧＯＰ以上集めたインターリーブブロック８４ａ、８４ｂ、８４ｃを作り、同一のプログレッシブ信号から分離された圧縮信号にタイムスタンプ付加手段により同一のタイムスタンプを付加した上で、光ディスク８５上に記録する。
【００６３】
このブログレシブ信号の入った光ディスク８５は、図２１の２倍速の再生装置８６で再生され、分離部８７でインターリーブブロック単位で再生され、インターリーブブロック８４ａ、８４ｃとインターリーブブロック８４ｂの２つのストリームに分離され、伸長部８８ａ、８８ｂで７２０×４８０画素のフレーム信号８９ａ、８９ｂに伸長される。フィールド分離部７１ａ、７１ｂで奇数フィールド７２ａ、７２ｂと偶数フィールド７３ａ、７３ｂに時間軸上で分離される。ここまでは図２０の再生装置６５と同じ動作である。
【００６４】
しかし、図２１では、合成部９０でＡチャンネル９１とＢチャンネル９２の奇数フィールド７２ａ、７２ｂを合成する。偶数フィールド７３ａ、７３ｂも同様である。こうしてＡチャンネル９１とＢチャンネル９２はジグザグ状に合成されて、６０フレーム／秒のプログレシブ信号９３ａ、９３ｂが得られ、プログレシブ映像出力部９４より出力される。
【００６５】
こうして、本発明の再生装置により、プログレシブ映像信号、つまりＮＴＳＣ信号をインターレースしない５２５本、この場合４８０本の信号が得られる。再生部９５は２倍速再生をする。
【００６６】
この場合、映画ソフトの記録された従来の光ディスクを再生してもプログレッシブ映像が得られるという効果がある。
【００６７】
なお、図２０で、インターレース信号再生用の１倍速再生装置用の映画ソフトが入った光ディスクを再生する場合、映画ソフトは元々１秒２４コマのフレーム信号（プログレシブ信号）であるため、ＭＰＥＧデコーダ内では２４コマのプログレシブ信号が得られる。映画ソフトであることを検知手段で検知、もしくは図４９に示す３−２変換部１７４で２４フレームを６０フレーム／秒のプログレシブ信号に変換することにより、プログレシブ信号が再生される。インターレース出力する時は、フィルタ識別子をみてプログレシブ信号を垂直フィルタ部でフィルタリングすることにより、妨害のないインターレース画像が得られる。
【００６８】
ここで、図２２でエンコードした光ディスク８５を図２０のプログレシブ対応の再生装置６５にかけて再生するとＡチャンネルのインターレース信号７４ａが再生される。インターレース型の従来のＤＶＤプレーヤはＡチャンネルとＢチャンネルのうちＡチャンネルだけを持っている。このことから本発明の光ディスク８５を従来のインターレース型のＤＶＤプレーヤに装着した場合、Ａチャンネルのインターレース信号が得られることがわかる。つまり本発明の光ディスクは本発明の再生装置ではプログレシブ信号が、従来の再生装置では同じコンテンツのインターレース信号が得られ、完全な互換性が実現するという効果がある。
【００６９】
なお、この場合図２２のＭＰＥＧエンコーダにインターレース妨害除去圧縮フィルタ１４０を加えると、周波数特性は少し下がるがＡチャンネルとＢチャンネルの間の折り返し歪を減らすことができる。
【００７０】
次に立体映像のエンコードについて、さらに詳しく述べる。
【００７１】
図２３に示すように記録装置９９に、右眼信号９７と左眼信号９８が入力される。インターレース信号であるため、６０分の１秒毎に奇数フィールド信号７２ａ、７２ｂと偶数フィールド信号７３ａ、７３ｂが入力される。この信号を合成部１０１ａ、１０１ｂで合成して３０分の１秒毎のフレーム信号１０２ａ、１０２ｂに変換する。圧縮部１０３ａ、１０３ｂで、圧縮した圧縮信号８３ａ、８３ｂを１ＧＯＰ以上の集合にまとめて、インターリーブブロック８４ａ、８４ｂ、８４ｃをつくり、交互に配置して、光ディスク１上に記録する。
【００７２】
この光ディスク１を図２４に示す本発明の再生装置で再生した場合、前述の図５の立体／ＰＧ映像配置情報再生部２６が、ディスク中のＰＧ識別子を検出して、図２４のように立体再生モードになった再生装置１０４のブロック図を用いて説明する。光ディスク１ｄの中の立体映像はまず分離部６８でＡチャンネルとＢチャンネルに分けられ、伸長部８８ａ、８８ｂで伸長され、フィールド分離部７１ａ、７１ｂでフィールド信号に分離される。ここまでの動作は、図２１の場合と同じである。
【００７３】
図２４の特徴としては、フィールド分離部７１ａが、奇数フィールド信号と偶数フィールド信号を出力変換部で出力順序を切り換えて出力させる点にある。まず、プログレシブＴＶつまり、１２０Ｈｚのフィールド周波数のＴＶ用には、Ａチャンネルの奇数フィールド信号７２ａ、Ｂチャンネルの奇数フィールド信号７２ｂ、Ａチャンネルの偶数フィールド信号７３ａ、Ｂチャンネルの偶数フィールド信号７３ｂの順番で送る。すると右眼左眼が交互にかつ、奇数フィールド、偶数フィールドの順で出力されるので、スイッチ型の立体メガネを使うことにより、フリッカのない、かつ時間情報が一致した映像がプログレシブ出力部１０５より得られる。
【００７４】
次に一般ＴＶへの出力としては、上記のうち、Ａチャンネルの奇数フィールド７２ａとＢチャンネルの偶数フィールド７３ｂをＮＴＳＣ出力部１０６より出力することにより、フリッカはあるが、動きの自然な立体映像が立体目がねより得られる。
【００７５】
以上の本発明のプログレシブ方式と立体映像再生方式を組み合わせると、左と右のプログレシブ画像の高品位の立体映像が得られる。図２５を用いて説明する。
【００７６】
この再生装置１０７は４倍速のレートで再生するため、４倍速の再生能力を要する。しかし、ＤＶＤでは通常の転送レートの８０％でよい。もし図２５のように連続して右のプログレシブ信号Ａ、Ｂと左のプログレシブ信号Ｃ、Ｄのインターリーブブロック１０８ａ、１０８ｂ、１０８ｃ、１０８ｄを間隔なく配置すると、光ピックアップはジャンプする必要がなく、連続再生すればよい。ＤＶＤの場合８０％の情報に制限されるため、連続再生では４倍速に対して、３、２倍速でよい。このように連続配置することにより、再生速度を低減できるという効果がある。
【００７７】
さて、説明に戻ると、分離部１０９により、前述のようにインターリーブブロック１０８ａ、１０８ｂ、１０８ｃ、１０８ｄは分離され、Ａ、Ｂ、Ｃ、Ｄの４チャンネルの信号が再生される。伸長部６９ａ、６９ｂ、６９ｃ、６９ｄで伸長された映像信号は、図２１と同様合成部９０ａ、９０ｂで各々合成され２つのプログレシブ信号がプログレシブ出力部１１０ａ、１１０ｂから出力される。各々が左眼用信号、右眼用信号であるため、再生装置１０７からはプログレシブの立体映像が出力される。この場合４倍速のブロックのＭＰＥＧチップを使えば１チップで処理できるため部品点数の増大はない。また、４つの異なるコンテンツの映像を記録し、再生することができる。この場合、１枚のディスクで４面のマルチスクリーンＴＶに同時表示できる。
【００７８】
本発明の特徴は全ての間に互換性がある点にある。図２５のディスク１０６を従来のＤＶＤ等の再生装置で再生した場合は、右眼もしくは左眼のどちらかのインターレース信号が出力される。画像の劣化はない。ただし、４分の１の時間しか再生できない。しかし、ＤＶＤの２層貼り合わせを使えば、２時間１５分入るためほとんどの映画作品は入る。
【００７９】
次に本発明の２倍速の立体／プログレシブ対応の再生装置では、立体のインターレースもしくは、１チャンネルのプログレシブの画像をユーザが、図９の入力部１９からチャンネル選択部２０を介して制御部２１に命令を送れば、好みの映像に切り替えられる。以上のように過去のモノラルレコードとステレオレコードのように完全互換性を保てるという大きな効果がある。
【００８０】
こうして本発明の２倍速、４倍速の再生装置により、様々な画質、撮影法の画像が得られる。
【００８１】
以上のように本発明では立体映像識別子がない時はポインターを読んで、ジャンプするだけでよいが、立体映像識別子がある時は１つ前の片方のインターリーブブロックのポインターを読み、アクセスするように再生手頃を変えることにより、フォーマットを変えないで立体映像を記録できるという効果がある。
【００８２】
ここで、スコープサイズの映画の画面を２つの画像に分割して、記録再生する方法を述べる。
【００８３】
図２０では、本発明の２倍速の再生装置で、２画面のインターレース信号を記録した光ディスク１を再生する方法を述べた。図４０ではこのことを応用してスコープサイズの（２．３５：１）のスーパーワイド画像１５４を画面分割部１５５で中央画像１５６、サイド画像１５７、１５８の３つの画面に分割し、分割位置をセンターシフト量１５９で表す。中央画像１５６ｄを第１映像信号１５６ｄとし、サイド画像１５７ｄ、１５８ｄを合わせて、第２映像信号として圧縮し、インターリーブ部１１３でインターリーブしてセンターシフト量１５９とともに光ディスクに記録する。この場合、第２映像信号はつぎ合わせた異質の画像であるので、再生されることは望ましくない。そこで第２映像信号制限情報付加部１７９により、光ディスクのファイル管理情報領域に、第２映像信号のストリームにパスワードプロテクト等の再生制限情報を付加する。すると、再生装置では、第２映像信号を単独で再生することができなくなる。こうして第２映像信号の単独出力制限分割画面の異常な画像を視聴者がみることを防ぐことができる。この場合、プログレシブ対応プレーヤでは第１映像信号と第２映像信号の双方を再生し、ワイド画面を出力することができる。
【００８４】
このディスクを図２０の再生装置で再生すると、まず、第２映像信号は単独で出力されない。光ディスクからはセンターシフト量１５９がセンターシフト量再生部１５９ｂから再生される。このシフト量１５９を用いてワイド画像合成部１７３において、スコープ画像を合成し、３−２変換部１７４において、図４１に示す３−２プルダウン変換を行い、映画の２４フレームを６０フィールド／秒のインターレース信号、もしくは６０フレーム／秒のプログレシブ信号に変換する。図４１に示すように伸長とワイド画像合成が行れる。３−２変換部１７４での３−２変換処理を述べると、１秒に２４フレームある合成画像１７９の合成画像１７９ａは、３枚のインターレース画像１８０ａ、１８０ｂ、１８０ｃとなり、合成画像１７９ｂは２枚のインターレース画像１８０ｄ、１８０ｅとなる。こうして２４フレーム／秒の画像は６０フィールドのインターレース画像となる。プログレシブ画像１８１を出力する時は、そのまま３枚のプログレシブ画像１８１ａ、１８１ｂ、１８１ｃと２枚のプログレシブ画像４８１ｄ、１８１ｅを出力すればいよい。
【００８５】
また、第２の画面分離の方法として、図４０に示すように１４４０×４８０の画面１５４の各画素を画像水平方向分離部２０７で水平方向の２画素を１画素ずつ分離すると７２０×４８０画素の２つの水平分離画面１９０ａ、１９０ｂに分離できる。これを同様に手法で第１映像信号、第２映像信号として圧縮し、光ディスク１９１に記録する。この場合、水平方向の、折り返し歪みが発生するので、水平フィルタ２０６で図４６の水平フィルタ２０６のように２画素を特定の加算比で加算し、水平方向の高域成分を減衰させる。このことにより、既存の再生装置で７２０ドットで再生した時のモアレを防げる。
【００８６】
この光ディスク１９１を図２０の再生装置６５で再生すると、水平分離画面１９０ａ、１９０ｂが復号され、ワイド画像合成部１７３で合成すると元の１４４０×４８０画素の画面１５４ａが再生される。映画ソフトの場合、３−２変換は図４１に示すようにして画面１５４ａを合成して３−２変換を行う。
【００８７】
この第２の画面の水平分離方法は、第１映像信号も第２映像信号も元の１４４０×４８０画素を水平方向に半分にした７２０×４８０画素の通常の映像が記録されているため、ＤＶＤプレーヤ等の通常の再生装置で誤って第２映像信号を再生しても、元と同じアスペクト比の映像が出力されるので、互換性が高いという効果がある。こうしてこの分離方式により、一般再生装置ではインターレース画像、対応再生装置では５２５プログレシブ画像、７２０Ｐの高解像度対応再生装置では７２０Ｐのスコープ等のワイド画像を再生できるという効果がある。映画素材の場合は２倍速で実現できるため効果が高い。
【００８８】
これを発展させると、図４４において、１４４０×９６０のプログレシブ画像１８２ａを画像分離部１１５の水平垂直分離部１９４で水平垂直方向に例えば、サブバンドフィルタやウェーブレット変換を用いて分離する。すると５２５プログレシブ映像１８３が得られる。これを５２５インターレース信号１８４分離して、ストリーム１８８ａで記録する。
【００８９】
一方残りの補間情報１８５を同様にして４つのストリーム１８８ｃ、１８８ｄ、１８８ｅ、１８８ｆに分離してインターリーブブロックに記録する。各インターリーブブロックの最大転送レートはＤＶＤ規格で８Ｍｂｐｓであるため、補間情報を４つのストリームに分割した場合、３２Ｍｂｐｓ、６アングルの場合、４８Ｍｂｐｓを記録するため、７２０Ｐや１０５０ＰのＨＤＴＶの映像を記録できる。この場合、従来の再生装置ではストリーム１８８ａを再生し、インターレース映像１８４が出力される。また、ストリーム１８８ｃ、１８８ｄ、１８８ｅ、１８８ｆには画像処理制限情報発生部１７９により、出力制限情報が光ディスク１８７に記録されているので、見づらい画像の差分情報等の補間情報１８５が誤って出力されることはない。こうして、図４４の方式で水平垂直双方向に分離することにより、ＨＤＴＶとＮＴＳＣの互換性のある光ディスクが実現するという効果がある。
【００９０】
図２０において、インターレース信号はインターレース変換部１７５でインターレース信号に変換し出力し、スコープ画面１７８を得る。５２５Ｐプログレシブ信号も同様にスコープ画面１７８として出力される。また、７２０Ｐのモニターで見る場合は、５２５Ｐ信号を５２５Ｐ／７２０Ｐ変換部１７６において、７２０Ｐのプログレシブ信号として変換し、１２８０×７２０もしくは、１４４０×７２０（画像は１２８０×４８０又は１４４０×４８０）のレターボックス型の７２０Ｐ画面１７７が出力される。スコープ画像（２．３５：１）は１１２８×４８０となるので近いアスペクト比の画像が得られる。特に、映画ソフトの場合、２４フレーム／秒なので、プログレシブ画像は４Ｍｂｐｓのレートになる。スコープ画像を２画面分割の本発明の方式で記録した場合、８Ｍｂｐｓとなり、ＤＶＤの２層ディスクに約２時間記録できるため１枚にスコープ画像の７２０Ｐ、もしくは５２５Ｐの高画質のプログレシブ画像が記録できるという効果がある。また、従来ＴＶでも、当然インターレース出力信号で表示される。このように映画のスコープ（２．３３：１）画面を５２５Ｐもしくは７２０Ｐで出力できるという効果が得られる。
【００９１】
ここで、図５１で具体的に１０５０インターレース信号を記録再生する方法を述べる。１０５０インターレース信号の偶数フィールド２０８ａを水平分離手段２０９で２つの画像２０８ｂ、２０８ｃに分離し、垂直分離手段、２１０ａ、２１０ｂで画像２０８ｄ、２０８ｅに分離し、同様にして、画像２０８ｆ、２０８ｇを得る。奇数フィールド信号２１１ａも同様にして分離し、画像２１１ｄ、ｅ、ｆ、ｇを得る。この場合、画像２０８ｄと画像２１１ｄがメイン信号となり、既存の再生装置でＤＶＤのインターレース映像が得られる。インターレース妨害等を防ぐため、水平フィルタ２０６ｂ、２０６ｃと垂直フィルタ２１２ａ、２１２ｂを挿入することにより、再生画像の折り返し歪みは減少する。
【００９２】
図２７、図２８、図４２、図４９でファイル構造と画像の識別子を述べる。図２７はＤＶＤの論理フォーマットに示す。各論理ブロックの中にビデオファイルが記録されている。図２８に示すようにシステムストリームの中の最小単位はセルと呼ばれており、この中に図４２に示すように１ＧＯＰ単位の映像データと音声データとサブピクチャーがパケットで記録されている。
【００９３】
第１ストリームのメイン信号のセル２１６（図１８参照）の中のパケット２１７の中のＰｒｏｖｉｄｅｒ  ｄｅｆｉｎｅｄ  ｓｔｒｅａｍは２０４８バイトの容量をもつ。この中にプログレシブかインターレースかを示すプログレシブ識別子２１８、解像度が５２５本、７２０本、１０５０本であることを示す解像度識別子２１９、補間信号が主信号との差分信号であるかを示す差分識別子２２０、後述するフィルタ識別子１４４、第１の副ストリームのストリーム番号を示す副ストリーム番号情報２２１が記録されている。
【００９４】
図５２を用いてこの画像識別子２２２を用いて再生する手順を示す。
【００９５】
光ディスクからは、まず管理情報２２４から再生手順制御情報２２５を読み出す。この中にはＶＯＢの制限情報があるため、既存の再生装置では、第０ＶＯＢ２２６ａからメイン映像が記録された第１ＶＯＢ２２６ｂにしか接続されない。
【００９６】
第０ＶＯＢ２２６ａから差分情報等の補間信号が記録された第２ＶＯＢ２２６ｃに接続されないため、前述のように差分情報のような見苦しい画像が既存の再生装置から再生されることはない。次にメイン信号の各ＶＯＢには画像識別子が記録されており、第１ＶＯＢ２２６ｂと第２ＶＯＢ２２６ｃはプログレシブ識別子＝１、解像度識別子＝００（５２５本）なので、５２５本のプログレシブ信号がプログレシブプレーヤＨＤプレーヤからは再生される。
【００９７】
次のＶＯＢ２２６ｄの画像識別子２２２はプログレシブ識別子＝０、解像度識別子２１９＝１０なので、１０５０本のインターレース信号であり、ＶＯＢ２２６ｅ、ＶＯＢ２２６ｆ、ＶＯＢ２２６ｇの３つのＶＯＢが補間情報であることがわかる。
【００９８】
こうして従来プレーヤではＮＴＳＣ、プログレシブプレーヤで、水平画素数７２０本の１０５０本のインターレース、ＨＤプレーヤでは１０５０ｃのフル規格のＨＤＴＶ信号が出力される。こうして画像識別子２２２により、様々な映像信号がインターリーブ記録でき、再生できる。
【００９９】
なお、この画像識別子２２２は管理情報２２４に記録してもよい。
【０１００】
ここで、図５３を用いて各インターリーブブロックによるサブトラックのＶＰＴＳ（Ｖｉｄｅｏ  Ｐｒｅｓｅｎｔａｔｉｏｎ  Ｔｉｍｅ  Ｓｔａｍｐ）つまり、デコード出力時の時刻の関係を述べる。第１ＶＯＢ２２６ｂは、メイン信号のインターリーブブロック２２７ａ、２２７ｂ、２２７ｃがＶＰＴＳのＶＰＴＳ１、２、３とともに記録されている。第２ＶＯＢ２２６ｃにはインターリーブブロック２２７ｄ、２２７ｅ、２２７ｆがＶＰＴＳ１、２、３ともに記録されている。従来プレーヤでは１倍速で、インターリーブブロック２２７ａ、２２７ｂ、２２７ｃを再生する。
【０１０１】
メイン信号には音声が入っているので音声も再生される。一方プログレシブ対応プレーヤでは、まずサブ信号である第２ＶＯＢ２２６ｃのインターリーブブロック２２７ｄから再生し、一旦バッファメモリに蓄える。蓄え終わるとメイン信号の第１ＶＯＢ２２６ｂのインターリーブブロック２２７ａを再生し、この同期情報でＡＶ同期をとる。音声もメイン信号に記録されているので、図５３（２）（３）に示すようなメイン信号、サブ信号の出力が音声と同期する。この場合トラックジャンプはインターリーブブロック２２７ａとインターリーブブロック２２７ｅの間に行う。
【０１０２】
こうして、図５３（４）のプログレシブ信号が出力される。このように再生装置側で、各インターリーブブロックの同じＶＰＴＳをチェックすることにより、メイン信号とサブ信号を同期してデコードし、合成することにより、正常なプログレシブ信号を得るという効果がある。
【０１０３】
図５４はＮＴＳＣ信号とＨＤＴＶ信号をそれぞれ、独立して、同時間にインターリーブ記録するサイマルキャスト方式の場合の信号の配置を示す図である。この場合はメイン信号であるＶＯＢ２２７ａにはＮＴＳＣの映像と音声２３２が記録される。ＶＯＢ２２７ｂ、ＶＯＢ２２７ｃにはＨＤＴＶの圧縮映像信号の約１６Ｍｂｐｓの信号が８Ｍｂｐｓずつに分割されて本発明のインターリーブ方式で光ディスク上に記録されている。図５４（１）、（２）の従来のプレーヤやプログレッシブ対応プレーヤではＮＴＳＣの（５２５ｉ）信号が再生される。しかし図５４（３）のＨＤＴＶプレーヤでは、第１ＶＯＢ２２７ａから音声データのみをもらい、ＶＯＢ２２７ｂ、２２７ｃから第１サブ映像と第２サブ映像を再生し、合成し、図５４（３）に示すように、１６ＭｂｐｓのＨＤＴＶ信号を再生する。この場合サブ信号の再生は再生手順制限情報２２５により制限されているので、既存のＤＶＤプレーヤで使用者が操作を誤っても、ＨＤＴＶ圧縮信号が再生されることはない。こうして、従来のプレーヤではＮＴＳＣが、ＨＤＴＶプレーヤでは、ＨＤＴＶ信号が出力されるという両立性が得られる。このブロック図を図５５に示す。
【０１０４】
詳しい動作は他と同じであるため省略するが、光ディスクからの再生信号は、インターリーブブロック分離部２３３により分離され、メイン信号の音声はＮＴＳＣデコーダ２２９の音声デコーダ２３０によりデコードされ、第１サブ信号と第２サブ信号の８ＭｂｐｓのストリームはＨＤＴＶデコーダ２３１でデコードされ、ＨＤＴＶ信号がデコードされる。こうしてＨＤＴＶ信号と音声信号が出力される。この場合、まずサイマルキャストにより、従来機でもＮＴＳＣで再生できるという効果がある。さらに本発明では２インターリーブストリームをもちいると１６Ｍｂｐｓの転送レートが得られるので、標準的なＨＤＴＶのＭＰＥＧ圧縮信号をそのまま記録できるという効果がある。次にＤＶＤでは２つのインターリーブブロックで１６Ｍｂｐｓしか記録できない。一方ＨＤＴＶ圧縮映像信号は１６Ｍｂｐｓである。このため音声データは記録できない。しかし本発明のように、メイン信号のＮＴＳＣ信号の音声データを使用することにより、２つのインターリーブでＨＤＴＶを記録しても、音声出力が記録できるという効果がある。
【０１０５】
ここで、インターレース妨害の除去の方法について述べる。プログレッシブ信号を間引いてインターレース信号に変換すると、折り返しが発生し、低域成分のモアレが発生する。また３０Ｈｚのラインフリッカーも発生する。これを避けるため、インターレース妨害除去手段を通す必要がある。すでに説明した図２２の記録装置９９のブロック図のプログレシブインターレース変換部１３９のプログレシブ信号部にインターレース妨害除去手段１４０を入れる。入力されたプログレシブ信号は、まず、インターレース妨害画像検知手段１４０ａにより、インターレース妨害が起こる確率の高い画像信号を検出し、この画像信号のみをインターレース妨害除去フィルタ１４１に通す。例えば垂直方向の周波数成分の低い画像の場合、インターレース妨害は起こらないので、フィルタバイパスルート１４３により、フィルタを迂回する。このことにより、画像の垂直解像度の劣化を軽減できる。インターレース妨害除去フィルタ１４１は垂直方向のフィルタ１４２で構成される。
【０１０６】
図４６（ａ）の時間、空間周波数図に示すように、斜線部が、インターレースの折り返し、歪発生領域２１３である。
【０１０７】
これを除去するには垂直フィルタを通せばよい。具体的な方法としては、図４６（ｃ）に示すように、３本のラインメモリ１９５を設け、４８０本のプログレッシブのライン信号を対象ライン（第ｎライン）の画像情報と前後のライン（第ｎ−１、ｎ＋１ライン）の３本の画像情報を加算器１９６で加算比で加算すると１本のライン画像情報が得られ２４０本のインターレース信号ができる。この処理により垂直方向にフィルタがかかり、インターレース妨害は軽減できる。３本のラインの加算比率を変えることによりフィルタ特性を変更することができる。これを垂直３ラインタップフィルタと呼ぶ。中心と前の２本のラインの加算比を変更することにより、より簡単な垂直フィルタを得ることができる。図４６（ｄ）に示すようにライン情報は単純な垂直フィルタでなく、例えば前のフレームのｎ−１ラインと次のフレームのｎ＋１番目の偶数ラインを同一空間上に展開した上で、垂直フィルタリングを施すこともできる。この時間垂直フィルタ２１４により、プログレシブ非対応のＤＶＤプレーヤで、プログレシブ信号を記録した光ディスクを再生し、インターレース信号のみを視聴した時に生ずるインターレース妨害が軽減されるという効果がある。また、水平フィルタ２０６ａは水平方向の２画素を加算して１画素を合成することにより実現する。しかし、フィルタをかけると当然プログレシブ映像の解像度が劣化する。インターレース妨害画像検知手段１４０により、妨害の少ない画像にフィルタをかけないことや垂直フィルタの加算器の加算比を変更することにより、フィルタ効果が弱くなるので、プログレシブ画像再生時の劣化が軽減するという効果がある。また、本発明のプログレシブ対応型の再生装置では、後述するようにフィルタを記録時にかけなくても、再生装置側のフィルタでインターレース妨害を除去できる。将来はプログレシブ対応型再生装置に置き換わることから、将来は記録時のフィルタは不要となる。そのときはフィルタリングされた光ディスクとフィルタリングされない光ディスクが存在するため、インターレース妨害検知手段１４０はフィルタリングを入れた画像に対し、それを識別できる識別子であるインターレース妨害除去フィルタリング識別子１４４を出力し、記録手段９により光ディスク８５上に記録する。
【０１０８】
図５０に具体的なフィルタ識別子の記録法について述べる。
【０１０９】
ストリームの中のＭＰＥＧの画素単位である１ＧＯＰの中のヘッダにフィルタ識別子１４４を入れる。”００”ではフィルタなし、”１０”では垂直フィルタ”０１”では水平フィルタ”１１”では垂直水平フィルタを通過した信号であることを示す。最低１ＧＯＰ単位で入っているので、再生装置で１ＧＯＰ毎にフィルタをＯＮ／ＯＦＦできるので、２重にフィルタを入れて画質劣化をさせることを防げる。
【０１１０】
次にこの光ディスク８５を再生装置８６ａで再生した場合の動作を図３２（ａ）、（ｂ）を用いて説明する。図２１と同様にして２つのインターレース画像８４ａ、８４ｂを再生し、プログレシブ画像９３ａを一旦合成する。ただし、インターレース妨害除去フィルタリング識別子１４４がＯＮの時やスロー、静止画の特殊再生をしない時で、かつプログレシブ画像を出力しない時は、直接インターレース出力１４５により１倍速回転で、インターレース信号を出力する。この場合省電力効果がある。
【０１１１】
特殊再生を行う場合やインターレース妨害除去フィルタリング識別子１４４がオフの時は制御部１４７より２倍速命令１４６がモーター回転数変更部３５に送られ、２倍速で光ディスク８５は回転し、プログレシブ画像が再生される。
【０１１２】
こうして再生されたプログレシブ画像をインターレース信号としてインターレースＴＶ１４８に出力する場合にインターレース妨害を除去する方法を述べる。インターレース妨害除去フィルタリング識別子１４４がオフの時は、判別切替回路１４９を切り替えて、プログレシブ信号をインターレース妨害除去フィルタ１４１を通過させた後、インターレース変換部１３９において、２枚のフレーム９３ａ、９３ｂから２枚の奇数インターレース信号７２ａと偶数インターレース信号７３ａを出力し、通常のインターレース信号を出力する。この場合、インターレースＴＶ１４８にはインターレース妨害のない匪像が表示される。インターレース妨害フィルタによるインターレース信号への影響は少ないため、インターレース信号の劣化はない。一方、プログレシブ信号出力部２１５には、インターレース妨害除去フィルタが入ってないプログレシブ信号が出力される。従って、再生装置側でインターレース妨害除去フィルタＯＮ、ＯＦＦする方式により、劣化のないプログレシブ画像とインターレース妨害等の劣化のないインターレース画像の出力が同時に得られると言う大きな効果が得られる。
【０１１３】
なお、１／２倍速以下のスロー再生、静止画再生においては、インターレース妨害は減るので除去フィルタを弱くする。
【０１１４】
次に特殊再生の画質を向上させる工夫を述べる。操作入力部１５０を介して制御部１４７より、スロー、静止画再生の命令がスロー静止画再生手段１５１に入力された場合、インターレース変換部１４９はフレーム処理部１５２により、１枚のフレーム９３ａの４８０本のラインを２つのフィールドに分配して、奇数インターレース信号７２ｂと偶数インターレース信号７３ｂを作成し、出力する。するとインターレースＴＶ１４８には、ぶれのない４８０本の解像度のインターレースの静止画もしくはスロー再生画像が表示される。従来のインターレース方式の再生装置ではぶれのない静止画、スローを得られるためには２４０本に解像度を落とす必要があったが、本発明ではインターレースから一旦プログレシブに変換し、インターレースに変換することにより、４８０本の解像度のインターレースのスロー、静止画が得られるという効果がある。なお、図３２（ａ）におけるステップ１５３ａ〜１５３ｇはこの手順をフローチャートで示した物であるが、説明は省略する。
【０１１５】
次に図２６では、２チャンネルのストリーム、例えばカメラ１とカメラ２の映像がインターリーブされているディスクから第１のストリームを再生し、途中で第２のストリームに切り換え、連続的に出力する方法を述べる。
【０１１６】
図３５を用いて、コンテンツが複数のストーリー、つまりストリームが多重化されている場合、特定のストリームから他のストリームへ切れ目無くスムーズに切り換える方法を述べる。図３５の（１）に示すように、光ディスク１０６の中には異なる２つのストーリーが、第１映像信号と第２映像信号の２つのストリームつまり、第１ストリーム１１１と第２ストリーム１１２として、基本的に略々同一半径上に記録されている。
【０１１７】
この場合、通常は基本ストーリーである第１映像信号のみを再生するので、第１ストリーム１１１ａの次には次の第１ストリーム１１１ｂが連続して再生出力される。
【０１１８】
しかし、使用者がｔ＝ｔｃの時点で、図５の命令入力部１９より、第２映像信号へ切り換える命令を出した場合、ｔ＝ｔｃの時点で、第１ストリーム１１１ａから第２ストリーム１１２ｂへ図５のトラッキング制御回路２２を用いて、別の半径位置にあるトラックをアクセスし、出力信号を第２映像信号の第２ストリーム１１２ｂに切り換える。
【０１１９】
こうして図３５の（２）に示すように第１映像信号がｔ＝ｔｃの時点で、第２映像信号の映像と音声とサブピクチャーは切れ目なくシームレスで切り替わる。
【０１２０】
この映像、音声、サブピクチャーを同期させて、シームレス再生を実現する工夫に関しては、後で述べる。
【０１２１】
図３５（３）（４）のタイミングチャートを用いてさらに、具体的なデータの再生手頃を述べる。図２２の記録装置のブロック図で説明したように第１映像信号のプログレシブ画像はＯｄｄ  ｌｉｎｅ  Ｆｉｒｓｔのメインのインターレース映像信号Ａ１〜ＡｎとＥｖｅｎ  ｌｉｎｅ  Ｆｉｒｓｔのサブのインターレース映像信号Ｂ１〜Ｂｎに分離され、各々、第１アングルと第２アングルのサブチャンネルに別々に記録される。また、図２２では省略したが、第２映像信号のプログレシブは同様にして、メインのインターレース映像信号Ｃ１〜Ｃｎとサブのインターレース映像信号Ｄ１〜Ｄｎに分離され、図３５（３）のように各々第３アングルと第４アングルに別々に記録される。
【０１２２】
図３５（３）は図３６の原理図をタイムチャートで説明したもので、動作は同じである。
【０１２３】
図３６は図２２の記録装置のインターリーブ部に絞り、説明した物である。２つのストリームつまり、第１映像信号のプログレシブ信号を第１映像信号分離部７８ａで、Ｏｄｄ  Ｆｉｒｓｔのメイン信号とＥｖｅｎ  Ｆｉｒｓｔのサブ信号の２つのインターレース信号に分離する。この場合、情報量を減らすために、メイン信号とサブ信号の差分信号を差分部１１６ａで求め、メイン信号と差分信号を圧縮して、ディスクに記録することにより、記録情報量を減らすことができる。プログレシブ映像の場合、隣接する奇数（Ｏｄｄ）ラインと偶数（Ｅｖｅｎ）ラインの相関はかなり強いため、両者間の差分信号の情報量は少ない。差分をとることにより記録情報量を大幅に削減できるという効果がある。
【０１２４】
この差分器１１６ａを用いる本発明の分割記録方法は、図４４に示すように７２０Ｐつまり、７２０ラインのプログレシブ信号１８２や１０５０Ｐのプログレシブ映像１８２ａを画像分離部１１５で５２５の基本情報１８７とプログレシブ映像１８３や５２５インターレース映像１８４と補完情報１８６に分離する。差分器１１６ａにより、基本情報１８７と補完情報４８６の差分情報１８５を求め、この差分情報１８５を第２映像信号分離部７８ｃと第３映像信号分離部７８ｄにより、計４つのストリーム１８８ｃ、１８８ｄ、１８８ｅ、１８８ｆのストリームに分離できる。これらを圧縮部１０３に送り、インターリーブ１１３ａでインターリーブして６つのストリームを光ディスク１８７の各アングルに記録する。
【０１２５】
この時ストリーム１８８ｃ、１８８ｄ、１８８ｅ、１８８ｆは差分情報もしくは補完情報であるため、再生装置で復号されても、ＴＶ画面に出力された場合、正常なＴＶ画像ではないため、視聴者に不愉快な印象を与えてしまう。そこで、本発明では、補完情報１８６を含むストリーム１８８ｃ、１８８ｄ、１８８ｅ、１８８ｆのアングルが、非対応の過去の再生装置で出力されないように、画像出力制限情報発生部１７９で、制限情報を発生し、光ディスク１８７に記録しておく。具体的にはＤＶＤ規格には特定のストリームをパスワードがないと開かないように設定する。ストリーム１８８ｃ、１８８ｄ、１８８ｅ、１８８ｆにパスワードプロテクトをかけることにより、従来の再生装置では容易に開くことができず、補完情報１８６を復号した異常な画像を視聴者が誤ってみるという事態を避けるという効果がある。
【０１２６】
図３６に戻り、こうして第１映像信号は圧縮されて、メイン信号は１ＧＯＰ以上の単位のＡ１、Ａ２のインターリーブブロック８３ｂ、８３ｄとなる。一方、第２映像信号のメイン信号はＣ１、Ｃ２のインターリーブブロック８３ａ、サブ信号はＢ１、Ｂ２のインターブロック８３ｅ、８３ｇ、サブ信号はＤ１、Ｄ２のインターリーブブロック８３ｆ、８３ｈとなる。以上の４つのデータから図３６に示すように、記録ストリーム１１７が生成される。記録ストリーム１１７では、Ａ１、Ｂ１、Ｃ１、Ｄ１、Ａ２、Ｂ２、Ｃ２、Ｄ順に配列され、記録手段１１８により光ディスク１５５上に記録される。プログレシブ信号レベルでみると、Ａ１、Ｂ１、Ａ２、Ｂ２は第１映像信号であるため、第１映像信号、第２映像信号、第１映像信号、第２映像信号の順に記録される。ＡＶ同期制御部のシームレス再生に関しては後で述べる。
【０１２７】
なお説明では、各インターブロックユニットに１ＧＯＰ以上のＭＰＥＧ信号を記録すると記載したが、厳密には、１インターリーブユニットは約０．５秒以下に制限されているので、映像信号は最大３０フィールド分しか記録できない。従って１インターブロックユニットには最大３０ＧＯＰしか記録できない。つまり本発明の一つのインターリーブユニットは１ＧＯＰ以上３０ＧＯＰ以下の記録に制限される。
【０１２８】
さらにＤＶＤディスクに記録する場合は、ＤＶＤ規格を満たさないと正常に再生することができない。ＤＶＤ規格では、各チャプタつまり各ＶＯＢはＯｄｄ  ｌｉｎｅ  Ｆｉｒｓｔで始まる必要がある。本発明のプログレシブ信号を分離した場合、図２２のようにインターレース信号はメインで信号では奇数ラインつまりＯｄｄ  ｌｉｎｅ  Ｆｉｒｓｔであるが、サブ信号は偶数ラインつまり、Ｅｖｅｎ  ｌｉｎｅ  Ｆｉｒｓｔとなる。このため、本発明では図３３に示すようにプログレシブ映像７５ａ、７５ｂを分離部７８により、メイン信号は奇数インターレース信号７９ａと偶数インターレース信号８０ａのフィールド対、サブ信号は偶数インターレース信号８０ｂ奇数インターレース信号７９ｂを分離する。メイン信号からなる第１ＶＯＢ１１８は、奇数ラインフィールドの奇数インターレース信号７９ａで始まるため問題は生じない。しかし、サブ信号は偶数ラインで構成される偶数インターレース信号８０ｂで始まるため、そのままでは正常に再生されない。本発明では、ダミーフィールド生成手段１２０により、ダミーフィールド１２１を最低１フィールド作成し、ダミーフィールド追加手段１２２により、第２ＶＯＢ１１９の先頭にダミーフィールド１２１を追加する。ダミーフィールド１２１は後に連続再生する。偶数インターレース信号８０ｂの画像もしくは、奇数インターレース信号７９ｂのフィールド映像をコピーすることにより、再生時に不自然さをなくすことができる。
【０１２９】
次に圧縮方法を述べる。第１ＶＯＢ１１８のインターレース信号７９ａ、８０ａはフィールド対１２５ａにまとめられ、フレーム符号化部１２３ａで、符号化され、フレーム符号化信号１２７ａとなる。
【０１３０】
一方第２ＶＯＢ１１９のダミーフィールド１２１は圧縮部８２ｂの中のフィールド符号化部１２４ｂでフィールド単位の符号化がされ、まず、フィールド符号化信号１２９が符号化される。次に、本来のサブ信号である偶数インターレース信号８０ｂと奇数インターレース信号７９ｂは２つ合わせた第１フィールド対１２６ａにまとめられ、圧縮部８２ｂのフレーム符号化部１２３ｂでフレーム符号化されフレーム符号化信号１２８ａとして符号化される。
【０１３１】
こうして第２ＶＯＢ１１９にＯｄｄ  Ｆｉｒｓｔのダミーフィールドが追加されるので、奇数インターレース信号から始まることになる。奇数、偶数と順番に記録されるので、ＤＶＤプレーヤでスムーズ再生されるという効果がある。なお、この場合１枚のプログレシブ信号はフレーム符号化信号１２７ａとフレーム符号化信号１２８ａが対応する。しかし、ダミーフィールドであるフィールド符号化信号１２９があるため、メイン信号のフレーム符号化信号１２７ａとサブ信号のフレーム符号化信号１２８ａの間には、ｔｄなるオフセット時間１３０が存在する。プログレシブを再生する時は、このオフセット時間１３０の分だけサブ信号の出力タイミングを早くする必要がある。
【０１３２】
ここで、図３４を用いて、図２１で述べた再生装置の８６の動作をさらに詳しく説明する。再生部９５からの信号はメイン信号の第１ＶＯＢ１１８とサブ信号の第２ＶＯＢ１１９に分離される。第１ＶＯＢ１１８は元々、奇数ラインから始まるため、そのまま伸長すればよい。しかし第２ＶＯＢ１１９の先頭には図３３で述べたようにダミーフィールド１２９が挿入されている。このため、このまま再生するとメイン信号とサブ信号の間にｔｄなるオフセット時間１１９の同期のずれが生じて、最初のプログレシブ映像を合成するのに時間を要し、ＶＯＢから次のＶＯＢの間で切り換え時に画面が連続的につながらない。そこで、本発明では２つの方法でダミーフィールド１２１をスキッブする。
【０１３３】
第１の方法では、第２ＶＯＢ１１９の先頭にあるフィールド符号化信号１２９を伸長部１３２に一旦入力し、フィールド伸長処理による伸長する途中、もしくは伸長後にプログレシブ識別情報があった場合は、プログレシブ処理切替部１３５がＹｅｓに切り替わり、ダミーフィールド迂回手段１３２により、ダミーフィールド１２１をスキップして、先頭に偶数インターレース信号８０ｂ、次に奇数インターレース信号７９ｂを出力する。この信号は、同期手段１３３により、メイン信号に記録されている音声信号１３４、字幕等のサブピクチャー１３５と同期して、プログレシブ変換部９０でプログレシブ画像９３ａ、９３ｂが出力される。こうして、ダミーフィールド１２１を迂回することにより、奇数フィールドと偶数フィールドが同期して合成され、時間軸のあったプログレシブ信号と音声信号、サブピクチャーが出力される。なお、プログレシブ識別情報がない場合はプログレシブ切替部１３５がＮＯに切り替わりダミーフィールド１２１が除去されないで、さらにプログレシブ変換もされないで、インターレース信号１３６が出力される。従来のプログレシブ機能をもたないＤＶＤプレーヤではこのインターレース信号１３６が出力される。こうしてダミーフィールド迂回手段１３２をプログレシブ処理の場合にＯＮし、そうでない時にはＯＦＦすることにより、通常のフィールド符号化されたインターレース信号を最初のフィールドを落とすことなく正常に再生するという効果が得られる。
【０１３４】
次に第２の方法について述べる。これはダミーフィールド１２９がフィールド符号化され１ＧＯＰとなり、サブ信号のフレームのＧＯＰと分離できる場合に用いる。符号の復号の前にダミーフィールドの符号化情報であるフィールド符号化信号１２９をダミーフィールドの符号化情報迂回手段１３７で１ＧＯＰ分だけスキッブする。バッファ１３１ｂにスキップした情報を入力するか、バッファ１３１ｂの出力時にスキップしてもよい。伸長部８８ｂにはメイン信号と対になった、サブ信号のフレームもしくはフィールド情報しか入力されない。こうして図２１で述べた通常の手段で偶数インターレース信号８０と奇数インターレース信号７９ｂが伸長、インターレース変換され、メイン信号と同期手段１３３で同期されて、プログレシブ変換部９０でプログレシブ信号９３ａ、９３ｂに変換される。
【０１３５】
第２の方法では、符号化情報の段階で、ダミーフィールドを取り除いてしまうため、バッファ部１３１ｂの処理や伸長部８８の処理を変更しなくてもよいという効果がある。
【０１３６】
第２ＶＯＢ１１９の先頭に１ＧＯＰに符号化したダミーフィールドを入れる時に適している。
【０１３７】
第１の方法はダミーフィールド１２９と各フレーム１２７ａ内のフィールド信号をまとめてフィールド符号化し、１ＧＯＰを生成するため記録効率が高いシームレスマルチアングル方式のように１インターリーブブロックの先頭にダミーフィールドを挿入してある時に効率がよいため、記録時間を増やす効果がある。
【０１３８】
以上のようにしてプログレシブ処理の場合のみダミーフィールド１２１をスキップすることにより、あるＶＯＢから次のＶＯＢの境界、もしくはシームレスマルチアングルのインターリーブブロックにおいて、プログレシブ映像を切れ目無く再生できるという効果が得られる。
【０１３９】
図３７のフローチャートを用いて、手順を説明する。
【０１４０】
ステップ１３８ａで、第２ｎ−１アングルのデータの再生開始命令を受ける。
【０１４１】
ステップ１３８ｂでプログレシブ識別子があるかをチェックし、Ｙｅｓの時はステップ１３８ｆへジャンプし、ＮＯの時はステップ１３８ｃで以下の３条件を満たすかチェックする。
【０１４２】
条件１は第ｎアングルのＶＯＢの先頭に１フィールド（もしくは奇数個のフィールド）のＧＯＰがあること。条件２はその１フィールドのＧＯＰに連続して１フィールドのＧＯＰがないこと。条件３は、第２ｎ−１アングルの先頭のＧＯＰが１フィールドでないこと。
【０１４３】
次にステップ１３８ｄで以上の条件を満たすかをチェックし、ＮＯならステップ１３８ｅでインターレース処理を行い、第２ｎ−１アングルのみを出力する。Ｙｅｓならステップ１３８ｆでプログレシブ処理に切替、ステップ１３８ｇで第２ｎ−１アングルのＶＯＢの最初から再生するかをチェックし、Ｎｏならステップ１３８ｊへジャンプし、Ｙｅｓならステップ１３８ｈで第ｎアングルのＶＯＢの最初の１フィールドもしくは１フィールド分のＧＯＰの映像をとばして出力する。第２ｎ−１アングルに音声信号がある場合はＶＯＢの最初のオフセット時間ｔｄ（デフォルト値１／６０秒）をスキップして出力する。
【０１４４】
ステップ１３８ｊで第２ｎ−１アングルのメイン信号と第２ｎアングルのサブ信号を復号し、同期をとり、プログレシブ信号に合成する。ステップ１３８ｋでプログレシブ画像を出力し、ステップ１３８ｍでシームレスマルチアングル出力をする場合は、ステップ１３８ｎへ進み、第２ｎ−１アングルの（サブ信号）の各インターリーブブロックをフィールド復号し、第１番目をスキップして出力する。もしくはインターレース変換時に奇数ラインと偶数ラインフィールドの出力順を逆にする。ステップ１３８ｐでプログレシブ画像の合成と出力を行う。
【０１４５】
図４８は現在一般的に使用されているＭＰＥＧ２のエンコーダを用いた場合のタイムチャートを示す。現行の多くのエンコーダは最初の画像がＯｄｄ  Ｆｉｒｓｔラインで始まるインターレース信号しか処理できない。一方図４８（１）のプログレシブ信号を分割した図４８（２）に示すように、プログレシブ信号を分割したメイン信号はＯｄｄ  Ｆｉｒｓｔであるから第１フィールドからエンコードできる。しかし、図４８（３）に示すサブ信号は先頭画像がＥｖｅｎ  Ｆｉｒｓｔなので最初のフィールドのｔ＝ｔ−１の信号はエンコードされず、ｔ＝ｔ０からエンコードされる。つまり、画像２３２ｃ、２３２ｄの対でしかエンコードされない。この場合、第１ＶＯＢと第２ＶＯＢの境界は、サブ信号の方がメイン信号に比べて、１フィールド分だけ、ずれてしまう。従って、連続したＶＯＢを再生する時はスムーズにＶＯＢ間が接続されるが、あるＶＯＢから、連続していない特定のＶＯＢにジャンプする時は、図４８（１２）に示すようにＶＯＢの先頭のフィールドは片方のメイン信号しか得られない。
【０１４６】
そこで、本発明では第１フィールドの画像２３２ｍをすてて、ｔ＝ｔ２の画像２３２ｎより再生することにより、完全なプログレシブ信号を得ている。この場合、１フィールド分の音声データ２３３ａを同時にすてることにより、音声が同期して接続されるという効果がある。
【０１４７】
図４７を用いてＯｄｄフィールドリピート識別子を用いて、記録効率を落とさずに、Ｏｄｄフィールドのダミーフィールドを挿入する方法を述べる。図４７（２）に示すプログレシブ信号のサブ信号に図４７（３）に示すように、実体のないダミーフィールド２３４ａ、２３４ｂを設定する。そしてタイムスタンプを１フィールド分だけ進ませる。図４７（５）の３−２変換部で、フィールド２３４ａ、２３４ｂ、２３４ｃの３つのフィールドを１つのフレーム２３４ｄに仮想的に合成する。この場合、本来はＥｖｅｎ  Ｆｉｒｓｔの識別子がつくが、Ｏｄｄ  ＦｉｒｓｔをリピートするＯｄｄ  Ｆｉｒｓｔ  Ｒｅｐｅａｔの識別子を付与するので、図４７（８）に示すように、再生時２−３変換部でＯｄｄのフィールド２３４ｆとＥｖｅｎのフィールド２３４ｇとＯｄｄのフィールド２３４ｈが再生される。
【０１４８】
こうしてＯｄｄ  ＦｉｒｓｔのＤＶＤ規格を満足し、互換性が保たれる。当然、プログレシブ対応型の再生装置では、ダミーフィールド２３４ｈをスキップして、タイムスタンプを１フィールド分修正してシームレスのプログレシブ信号を再生する。ダミーフィールドは同じフィールドを２回繰り返すだけなので、記録効率は全く落ちないという効果がある。
【０１４９】
ここで、図２６と図３５の（３）を用いて、この光ディスク１５５を再生し、第１映像信号から第２映像信号へｔ＝ｔｃで切り替える手順を述べる。一例である光ディスク１５５には図２６に示すようにＡ１、Ｂ１、Ｃ１、Ｄ１、Ａ２、Ｂ２、Ｃ２、Ｄ２、Ａ３、Ｂ３、Ｃ３、Ｄ３の順に１ＧＯＰ単位のインターリーブブロック単位で、４チャンネルのストリームがインターリーブされて記録されている。最初は第１映像信号の出力であるため、ＡとＢのインターリーブブロック（以下ＩＬＢと略する）８４ａ、８４ｂつまりＡ１、Ｂ１を連続再生しトラックジャンプ１５６を行い、ＩＬＢ８４ｅ、８４ｆつまりをＡ２、Ｂ２を再生する。ｔ＝ｔｃで第２映像信号に切り替わるため、トラックジャンプ１５７を行い、ＩＬＢ８４ｉ、８４ｈつまりＣ３、Ｄ３を再生する。こうしてメイン信号はＡ１、Ａ２、Ｃ３、サブ信号はＢ１、Ｂ２、Ｄ３が再生され、伸長部で伸長され合成され、合成部１０１ｂから出力部１１０ｂへ送られ、サブピクチャーデコーダ１５９からのサブピクチャー、音声信号再生部１６０からの音声、以上の３つの信号が、ＡＶ同期制御部１５８により調相されて、タイミングが合った状態で出力される。このため、第１ストリームのプログレシブ信号と第２ストリームのプログレシブ信号が音声、サブピクチャーともに切れ目なしに、つまりシームレスで連続されるという効果がある。シームレスの同期法は後述する。
【０１５０】
図４５を用いてプログレシブ映像もしくは、立体映像もしくはスコープ映像のように２つのストリームを同時に再生する場合に２つの映像と音声の同期をとる手順について述べる。７２０Ｐ信号のように３つや４つのストリームを再生する場合も同様にして実現できるので、これらの説明は省略する。
【０１５１】
最初に本発明の２つのビデオストリームを同期させる方法を述べる。まず、図３９に示すように、光ヘッドから再生されたシステムストリームは、トラックバッファ２３に一旦蓄積された後に、第１ビデオデコーダ６９ｄと第２ビデオデコーダ６９ｃへ送られる。光ディスクのトラックには、プログレシブ信号の２つのストリームＡ、つまり第１ストリームと、Ｂの第２ストリームがインターリーブブロック単位で交互に記録されている。
【０１５２】
まず、２倍速回転でストリームＡを再生し、トラックバッファ２３の中の第１トラックバッファ２３ａにデータの蓄積を開始する。この状態は図４５の（１）に示したように、ｔ＝ｔ１〜ｔ２では１インターリーブ時間Ｔ１の期間の第１映像信号の１インターリーブブロック分（ＩＬＢ）Ｉ１のデータが蓄積されていく。第１のトラックバッファデータ量は増加しｔ＝ｔ２で１ＩＬＢのデータ量まで増加し、第１映像信号の１ＩＬＢ分のデータの蓄積を完了する。
【０１５３】
ｔ＝ｔ２で、第１映像信号の１ＧＯＰ分以上の１ＩＬＢ分の蓄積を完了した後、今度はストリームＢの第２映像信号を光ディスクの次のインターリーブブロックＩ２から再生し、図４５（４）の実線で示すようにｔ＝ｔ２で第２トラックバッファ２３ｂに第２映像信号のデータの蓄積を開始し、ｔ＝ｔ６まで、第１トラックバッファ２３ｂに蓄積する。同時に、ｔ＝ｔ２からｔ８までは、図４５（７）、（１０）に示すように第１映像信号と第２映像信号をビデオプレゼンテーションタイムスタンプ、つまりＶＰＴＳの時間を同期させてトラックバッファ２３ａ、トラックバッファ２３ｂから第１ビデオデコーダ６９ｃ、第２ビデオデコーダ６９ｄに入力させる。この入力信号は図４５（８）、（１１）に示すようにＭＰＥＧの伸長処理時間であるビデオ遅延時間ｔｗｄだけ遅れた時間のｔ＝ｔ３より、第１ビデオデコーダ６９ｃと第２ビデオデコーダ６９ｄから伸長された２つのビデオデータとして出力される。
【０１５４】
ｔ＝ｔ４よりｔ１０までこのストリームＡとストリームＢの２つのビデオデータはプログレシブ変換部１７０によりプログレシブ信号に合成されて１インターリーブブロック分のプログレシブ信号が出力される。
【０１５５】
さて、このようにｔ＝ｔ２からｔ８までは１インターリーブブロック分のデータがデコーダに入力される。従って、ほぼ同一のレートで、第１トラックバッファ２３ａと第２トラックバッファ２３ｂのデータは消費され減少する。従って図４５（２）に示すように、第１トラックバッファのデータ量はｔ２からｔ７までは減少し、ｔ＝ｔ７では１ＩＬＢの１／２まで減少する。ｔ＝ｔ７で、インターリーブブロックＩ５のデータの再生が始まるので、増加分と減少分が相殺され、ｔ＝ｔ８まで増加し、ｔ＝ｔ８で１ＩＬＢに達するが、ｔ＝ｔ２の場合と同様にしてｔ＝ｔ８で第１デコーダ６９ｃへの入力が始まるので、ｔ＝ｔ１１まで減少を続け、最終的に１／２ＩＬＢ分のバッファメモリ量となる。
【０１５６】
次に図４５（４）を用いてストリームＢのバッファ量である第２トラックバッファ２３ａのメモリ量の推移を説明する。ｔ＝ｔ２でインターリーブブロックＩ２のストリームＢのデータＢ１が第２トラックバッファ２３ｂに入力され始めるが、同時にＢ１のデータの第２ビデオデコーダ６９ｄへの転送も始まるので、１／２に相殺され、ｔ＝ｔ６におけるバッファ量は１／２の１／２ＩＬＢ分となる。本発明のプログレシブ信号の２角度のマルチアングル記録する場合は、４つのストリームつまり４つのインターリーブブロックがあるため、ｔ＝ｔ６からｔ７にかけて、インターリーブブロックＩ３、Ｉ４をトラックジャンプして、Ｉ５へジャンプする必要がある。このｔｊのジャンプ時間１９７の間は、光ディスクからのデータの再生入力は中断するため、ストリームＢのバッファ量はｔ＝ｔ８まで減少を続け、ｔ＝ｔ８で０近くなる。
【０１５７】
ｔ＝ｔ８でインターリーブブロックＩ６のデータＢ２の再生データが入力されてくるので、再び増加を始め、ｔ＝ｔ１１で第２トラックバッファのメモリ量は１／２ＩＬＢ分となる。ｔ＝ｔ１１でトラックジャンプを行い、インターリーブブロックＩ７、Ｉ８をスキップしてＡ３のインターリーブブロックＩ９をアクセスする。
【０１５８】
以上の動作を繰り返す。
【０１５９】
ここで、本発明の方式の第１トラックバッファ２３ａと第２トラックバッファ２３ｂを加算したトラックバッファ２３に最低必要なメモリ容量を述べる。図４５（４）に点線で示すトラックバッファ容量１９８がトラックバッファ２３ａとトラックバッファ２３ｂを足したデータ量を示す。このように合計で最低１ＩＬＢ分の容量をトラックバッファに設定することにより、切れ目無く再生できる。
【０１６０】
本発明では本発明のプログレシブ再生時にトラックバッファ２３のトラックバッファ２３ａと２３ｂの合計容量を１インターリーブブロック以上とることにより、トラックバッファのオーバーフローやアンダーフローを防ぐことができる効果がある。
【０１６１】
また、図３１で２ストリームの場合のシステムクロックＳＴＣの切替法を後述するが、プログレシブ再生の場合、Ａ、Ｂ２つのストリームがある。この場合、１ＩＬＢのプログレシブ信号を構成する２つのインターレース信号の２つのストリームをＡ１、Ｂ１とすると、まず１番目のＡ１ストリームのデータは図３１（１）に示すように１／２ＩＬＢ期間に再生され、バッファに全データが蓄積される。次にストリームＢのデータは図３１（２）に示すように、Ａ１の再生終了後、Ｂ１として再生されバッファに蓄積される。この場合、前述の用に図３１（２）のストリームＢで、光ディスクからの再生データは制御されるので、トラックバッファがオーバーフローすることはない。図３１（３）に示すストリームＡ、もしくはストリームＢのトラックバッファからのＳＣＲつまりストリームクロックは、図３１（２）に示すストリームＢの再生開始点Ｊに略々同期してカウンタをリセットされる。そして、ストリームＢは２倍速で出力されるので、バッファにより、図３１（３）に示すような１倍速、つまり１／２の速度でストリームクロックはカウントされる。そしてＧ点でストリームクロックはリセットされる。ビデオデコーダより、ストリームＢのビデオ信号が出力する時刻ＶＰＴＳ２はＭＰＥＧデコード時間等の遅延時間Ｔｖｄを考慮し同期させる必要がある。
【０１６２】
この場合、Ｉ点つまり、ＶＰＴＳの増加が途切れた点でｔ＝ＴｉでＡＶ同期制御を再起動する。この場合ストリームＢのＶＰＴＳ２をチェックし、このＶＰＴＳ２にストリームＡのＶＰＴＳ１を同期させることにより、１系統の簡単な制御で同期が実現する。この場合ＶＰＴＳ１を併用してもよい。
【０１６３】
オーディオの同期ストリームＢの音声データを再生し、図３１（４）に示すように、ストリームＢのＡＰＴＳを用いてＨ点でＳＴＣを切り替えればよい。ストリームＢのサブ映像信号も図３１（４）と同じようにしてＳＴＣを切り替えればよい。
【０１６４】
以上のようにして、ストリームＢのデータを優先的に用いてＡＶ同期させることにより、簡単な制御でＡＶ同期が実現する。
【０１６５】
この場合、ストリームＡ１、Ａ２は全映像データがバッファメモリに蓄えられているのでオーバーフローすることはない。ストリームＢ１がオーバーフローする可能性がある。しかし本発明ではストリームＢで同期制御を行うことにより、図３１（６）に示すようにＶＰＴＳ２がＶＰＴＳ２しきい値を超えないようにＳＴＣを切り替え、信号フローを制御しているので、バッファがオーバーフローすることがない。
【０１６６】
また、ストリームＢの音声を音声再生に用いることにより前述のように、オーディオデコーダのバッファを１／２にできるだけでなく、図３１（４）に示すように、ｔ＝ＴｈのＨ点でＳＴＣを切り替えることにより、ＡＰＴＳしきい値を超えることなく、スムーズに音声が再生される。サブ映像情報も同様にスムーズに同期して再生される。従って、映像と音声、字幕等のサブ映像が同期するとともに、画面、音声が途切れることなく、つまりシームレスに再生される。この場合、ストリームＡの音声、サブ映像の記録を省略しても、さしつかえない。また、ストリームＢに音声、サブ映像を入れることにより、既存の再生装置でストリームＢの２を再生するようにし、前述の図２２に示した第２映像信号出力制御情報付加部１７９により、ストリームＡの再生を制御することにより、音のない画像を出力するトラブルを防ぐこどができる。
【０１６７】
このようにストリームＡの音声、サブ映像のデータを省略することにより、プログレシブ映像のソフト、例えば２時間の映画を１枚の２層ディスクに本発明のインターリーブブロック記録方式により、記録できるという大きな効果がある。この効果を述べる。映画ソフトは１層の４．７ＧＢのＤＶＤディスクに２時間１５Ｐ程度記録できる。本発明のプログレシブ映像を差分をとらないで、そのまま２チャンネル記録すると、倍の９．４ＧＢ必要である。しかし、例えば映像信号は４Ｍｂｐｓ、サブ映像と音声信号は１Ｍｂｐｓ近く必要である。音声信号の１Ｍｂｐｓを片方のストリームだけに記録すると、合わせて９Ｍｂｐｓでよい。つまり９０％のデータ量でよいため、９．４ＧＢの９０％で８．５ＧＢとなり、２層ディスクに１層ディスクと々プログレシブ信号が記録できる。
【０１６８】
本発明の同期方法では、プログレシブ信号の２本１組の信号のうち、光ディスク上のビデオデータの先頭からみて、ストリームＡのインターリーブブロックの次にストリームＢのインターリーブブロックの順序で記録されているとすると、先頭のデータ（実施例ではＡ）をトラックバッファに入れて、もう一方のデータ（実施例ではＢ）を再生する時に、ストリームＢの同期情報を主体的に用いて同期させる。具体的には、ストリームＢのビデオのタイムスタンプＶＰＴＳ１が、ＶＰＴＳ１のしきい値を超えないようにシステムクロックを切り替えることにより、画面が途切れることなく、ビデオと音声が同期して再生されるという効果が得られる。ストリームＡはストリームＢのタイムスタンプであるＶＰＴＳ２等の時間情報に同期させて、バッファから、読み出すだけでよいので、制御が簡単となる。
【０１６９】
このように、本発明では、第１のストリームを一旦、バッファに蓄積し、第２のストリームを同期制御するだけでよいので、制御が確実で簡単になる。この場合、バッファメモリのサイズは１ＩＬＢ分以上に設定すれば、オーバーフローやアンダーフローしない。
【０１７０】
既存のＤＶＤの光ディスク再生装置の場合、標準的な１ＩＬＢ分の１／５程度の１００〜３００ｋＢのバッファメモリが使用されている。しかし、本発明の場合、標準的なＩＬＢの１単位分のバッファメモリにより、スムーズに再生できる。ＩＩＬＢは０．５〜２秒であるが、マルチアングルの場合の待ち時間は１秒程度しか許容できないので実際には、０．５〜１秒の範囲で使われている。従って、最大１秒として８Ｍｂｐｓのストリームを考えると、本発明のＤＶＤの光ディスク再生装置では１ＭＢ以上のバッファメモリを用いればよい。
【０１７１】
以上の動作の中で図３０の同期制御部１６６は図４５（１）のインターリーブブロックＩ２とＩ６の第２映像信号の同期データを用いて、ＳＴＣを切り替えることにより、インターリーブブロックブロック間のシームレス再生が可能となる。Ｉ２、Ｉ６のインターリーブブロックのデータ再生時、ストリームＢのバッファ量をモニターしながらモーター回転数再生トラックを制御することにより、トラックバッファ２３ａ、２３ｂのメモリ量がオーバーフローしないように最適化できるので、トラックバッファのメモリ量を少なくできるという効果がある。ストリームＡのインターリーブブロックＩ１、Ｉ５のデータは、全部トラックバッファ２３ａに入っているので、２ストリームＡの信号で再生制御を行い、バッファサイズを最適化するには適していない。またインターリーブブロックＩ１、Ｉ５のオーディオデータを用いて再生すると図４５（８）、（１１）のビデオデータの出力のタイムスタンプと一致させるためには、図４５（３）に示すように１インターリーブブロック分以上のオーディオデータや、サブ映像データをトラックバッファ２３（図３９）やオーディオデコーダバッファ１７２（図３９）に蓄積する必要があるのに対し、インターリーブブロックＩ２、Ｉ６のオーディオデータを用いると、図４５（５）に示すように、１／２つまり１／２のＩＬＢデータでよいため、トラックバッファ２３（図３９）やオーディオデコーダバッファ１７２（図３９）のメモリ量が半分になるという効果がある。
【０１７２】
また、図４５にしめしたように、プログレシブ信号の主信号と補完信号の入ったＩ１、Ｉ２の１組とＩ５、Ｉ６の１組のデータを再生する時、インターリーブブロックＩ１、Ｉ５をバッファに蓄積しておき、次にインターリーブブロックＩ２、Ｉ６の再生データを基準にしてモータの回転制御をかけるとバッファのメモリ量を小さくできる。また、図３０のＡＶ同期制御部１５８のＳＴＣの切替タイミングもインターリーブブロックＩ２、Ｉ６のＳＴＣを基準にすることにより、バッファのオーバーフローなしに安定したデコードができるという効果がある。
【０１７３】
また、図３７のようにプログレシブ信号再生時は、ＶＯＢの最初のフィールドをスキップする方法を述べたが、第２の現実的な方法として、図２２に示すように、記録装置９９で、インターレース変換したＯｄｄ  Ｆｉｒｓｔ識別子１９９の画像とＥｖｅｎ  Ｆｉｒｓｔ識別子２００のついた画像の２枚の画像のうち、Ｅｖｅｎ／Ｏｄｄ変換部２０１により、Ｅｖｅｎ  Ｆｉｒｓｔ識別子２００だけをＯｄｄ  Ｆｉｒｓｔ識別子２０２に変換して各ＭＰＥＧデータにＯｄｄ  Ｆｉｒｓｔの識別子を付加することにより、全てのＶＯＢの先頭がＯｄｄ  Ｆｉｒｓｔになる。
【０１７４】
再生装置側では、図２１に示すようにＯｄｄ  Ｆｉｒｓｔ識別子１９９のデータと、Ｅｖｅｎ  Ｆｉｒｓｔが変換されたＯｄｄ  Ｆｉｒｓｔ識別子２０２が再生される。ステップ２０３に示すようにプログレシブ信号再生かどうかをチェックし、Ｙｅｓならステップ２０４で第２映像信号のＯｄｄ  Ｆｉｒｓｔ識別子をＥｖｅｎ  Ｆｉｒｓｔ識別子２００ａに変更し、ＭＰＥＧデコーダのインターレース変換部７１ｂに送る。Ｎｏなら識別子は変更しない。インターレース変換部７１ｂでは第２映像信号のフレーム画像からラインのフィールドを先に出力するのでＥｖｅｎ  Ｆｉｒｓｔの画像が出力される。合成部９０では、この第２映像信号のＥｖｅｎ  Ｆｉｒｓｔの画像と第１映像信号のＯｄｄ  Ｆｉｒｓｔの画像と合成され、正常なプログレシブ画像が出力される。
【０１７５】
この方法により、全てのインターリーブブロックの先頭がＯｄｄ  Ｆｉｒｓｔになり、ＤＶＤ規格の再生装置でシームレスのマルチアングル映像が問題なく再生されるという効果がある。シームレスマルチアングル再生の時は各インターリーブブロックの先頭がＯｄｄ  Ｆｉｒｓｔに制限されているので、この方法により、ダミーフィールドを入れなくてもよいため、記録効率が落ちないという効果がある。
【０１７６】
さて、この第２のＯｄｄ  Ｆｉｒｓｔラインを揃える方法は、既存の再生装置でも第１映像信号は正常に再生される。しかし、既存の再生装置で第２映像信号のＯｄｄ  Ｆｉｒｓｔ識別子の通りにインターレース変換すると、奇数と偶数フィールドが逆になり、解像度の落ちた見にくい映像が出力される。これを避けるためには、図４０で説明した第２映像信号出力制限情報付加部により、従来の再生装置で再生する時に、ＤＶＤ規格内で第２映像信号の再生を制限する情報を光ディスク８５に記録しておけば、第２映像信号は既存の再生装置で再生されないため、使用者に不愉快な映像をみせるという事態を避けることができる。
【０１７７】
この記録装置において、Ｏｄｄ  Ｆｉｒｓｔ画像と変換されたＯｄｄ  Ｆｉｒｓｔ画像の１対のフィールド画像を各々の圧縮部８１ａ、８２ｂで可変符号化の画像圧縮を行う場合、別々に動き検出と補償を行うと圧縮しにくい画像をエンコードする時に、ブロック歪みが別々に現れるため、プログレシブ信号に合成した時、デコード画像が汚くなる。これを避けるため本発明では、同一の動き検出補償部２０５により同一の動きベクトルを採用し、動き補償し符号化することにより、２つのフィールドをデコードした時、ブロック歪みが揃うため目立ちにくいという効果がある。また、エンコードの負荷も減る。
【０１７８】
次に、このＡＶ同期制御部１５８の動作について詳しく述べる。
【０１７９】
ＡＶ同期制御部については、本発明においても最も重要な部分の一つであるので、詳しく説明する。
【０１８０】
図５のシステム制御部２１の動作を述べる。まず、システム制御部２１は光ディスクがＤＶＤ再生装置にセット（挿入）されたかどうかを判別する。セットされたことを検出すると、機構制御部および信号制御部を制御することにより、安定な読み出しが行われるまでディスク回転制御を行い、安定になった時点で光ピックアップを移動させ、図２８に示したボリューム情報ファイルを読み出す。
【０１８１】
さらに、システム制御部２１は、図２８のボリューム情報ファイル中のボリュームメニュー管理情報に従って、ボリュームメニュー用のプログラムチェーン群を再生する。このボリュームメニュー用のプログラムチェーン群の再生時には、ユーザは、所望するオーディオデータおよび副映像データの番号を指定することができる。また、光ディスクの再生時間におけるボリュームメニュー用のプログラムチェーン群の再生は、マルチメディアデータの用途に応じて必要でない場合には、省略してもよい。
【０１８２】
システム制御部２１は、ボリューム情報ファイル中のタイトル群管理情報に従ってタイトルメニュー用プログラムチェーン群を再生して表示し、ユーザの選択に基づいて選択されたタイトルを含むビデオファイルのファイル管理情報を読み出して、タイトル先頭のプログラムチェーンに分岐する。さらに、このプログラムチェーン群を再生する。
【０１８３】
図２９はシステム制御部２１によるプログラムチェーン群の再生処理の詳細な手順を示すフローチャートである。図２９において、ステップ２３５ａ、２３５ｂ、２３５ｃで、まずシステム制御部２１は、ボリューム情報ファイルまたはビデオファイルのプログラムチェーン情報テーブルから、該当するプログラムチェーン情報を読み出す。ステップ２３５ｄで、プログラムチェーンが終了していない場合は、ステップ２３５ｅに進む。
【０１８４】
次に、ステップ２３５ｅプログラムチェーン情報内において次に転送すべきセルのシームレス接続指示情報を参照し、当該セルと直前のセルとの接続がシームレス接続を行うべきか否かを判別し、シームレス接続の必要がある場合は、ステップ２３５ｆのシームレス接続処理に進み、シームレス接続の必要がなければ、通じよう接続処理に進む。
【０１８５】
ステップ２３５ｆでは、機構制御部、信号処理部などを制御してＤＳＩパケットを読み出し、先に転送を行ったセルのＤＳＩパケット内に存在するＶＯＢ再生終了時刻（ＶＯＢ  Ｅ  ＰＴＭ）と、次に転送するセルのＤＳＩパケット内に損ザイルＶＯＢ再生開始時刻（ＶＯＢ  Ｓ  ＰＴＭ）を読み出す。
【０１８６】
次にステップ２３５ｈでは「ＶＯＢ再生終了時刻（ＶＯＢ  Ｅ  ＰＴＭ）−ＶＯＢ再生開始時刻（ＶＯＢ  Ｓ  ＰＴＭ）」を算出してこれを当該セルと直前に転送済みのセルとのＳＴＣオフセットとして、図３０のＡＶ同期制御部１５８内のＳＴＣオフセット合成部１６４に転送する。
【０１８７】
同時に、ステップ２３５ｉで、ＶＯＢ再生終了時刻（ＶＯＢ  Ｅ  ＰＴＭ）を、ＳＴＣ切り替えスイッチ１６２ｅの切り替え時刻Ｔ４としてＳＴＣ切り替えタイミング制御部１６６に転送する。
【０１８８】
次に当該セルの終端位置になるまでデータを読み出すように機構制御部に指示する。これによりステップ２３５ｊでトラックバッファ２３に当該セルのデータが転送され、転送が終了し次第ステップ２３５ｃのプログラムチェーン情報の読み出しに進む。
【０１８９】
また、ステップ２３５ｅにおいて、シームレス接続でないと判断された場合、トラックバッファ２３への転送をシステムストリーム末尾まで行い、ステップ２３５ｃのプログラムチェーン情報の読み出しに進む。
【０１９０】
次に、本発明におけるシームレス再生を行うためのシームレス接続制御のＡＶ同期制御方法に関する２つの実施例を説明する。これらは図２６と図３９におけるＡＶ同期制御部１５８を詳細に説明するものである。
【０１９１】
図３９のシステムデコーダ１６１、オーディオデコーダ１６０、ビデオデコーダ６９ｃ、６９ｄ、副映像デコーダ１５９は全て、図３０のＡＶ同期制御部から与えられるシステムタイムクロックに同期して、システムストリーム中のデータの処理を行う。
【０１９２】
第１の方法では、図３０を用いて、ＡＶ同期制御部１５８の説明を行う。
【０１９３】
図３０においてＡＶ同期制御部は、ＳＴＣ切替スイッチ１６２ａ、１６２ｂ、１６２ｃ、１６２ｄ、ＳＴＣ１６３、ＳＴＣオフセット合成部１６４、ＳＴＣ設定部１６５、ＳＴＣ切替タイミング制御部１６６から構成される。
【０１９４】
ＳＴＣ切替部１６２ａ、１６２ｂ、１６２ｃ、１６２ｄ、１６２ｅは各々システムデコーダ１６１、オーディオデコーダ１６０、メインビデオデコーダ６９ｃ、サブビデオデコーダ６９ｄ、副映像デコーダ１５９に与える基準クロックとしてＳＴＣ１６３の出力値とＳＴＣオフセット合成部１６４の出力値とを切り替える。
【０１９５】
ＳＴＣ１６３は、通常再生において図３９のＭＰＥＧデコーダ全体の基準クロックである。
【０１９６】
ＳＴＣオフセット合成部１６４はＳＴＣ１６３の値から、システム制御から与えられるＳＴＣオフセット値を減算した値を出力し続ける。
【０１９７】
ＳＴＣ設定部１６５は、システム制御部から与えられるＳＴＣ初期値又はＳＴＣオフセット合成部１６４から与えられるＳＴＣオフセット合成値をＳＴＣ切替タイミング制御部１６６から与えられるタイミングでＳＴＣ１６３に設定する。
【０１９８】
ＳＴＣ切替タイミング制御部１６６は、システム制御部から与えられるＳＴＣ切替タイミング情報とＳＴＣ１６３及びＳＴＣオフセット合成部１６４から与えられるＳＴＣオフセット合成値に基づいてＳＴＣ切替部スイッチ１６２ａ〜１６２ｅとＳＴＣ設定１６５を制御する。
【０１９９】
ＳＴＣオフセット値とは、異なるＳＴＣ初期値を持つシステムストリーム＃１とシステムストリーム＃２を接続して連続再生する際に、ＳＴＣ値を変更するたるめに用いるオフセット値である。
【０２００】
具体的には、先に再生するシステムストリーム＃１のＤＳＩパケットに記述される「ＶＯＢ再生終了時刻（ＶＯＢ  Ｅ  ＰＴＭ）」から、次に再生するシステムストリーム＃２のＤＳＩに記述される「ＶＯＢ再生開始時刻（ＶＯＢ＿Ｓ＿ＰＴＭ）」を減算して得る。これらの表示時刻の情報は、図５において光ディスクから読み出されたデータがトラックバッファ２３に入力される時点で、システム制御部１６７が読み出すことで、予め算出しておく。
【０２０１】
算出したオフセット値は、システムストリーム＃１の最後のパックがシステムデコーダ１６１に入力されるまでに、ＳＴＣオフセット合成部１６４に与えられる。
【０２０２】
図５のデータ復号処理部１６５は、シームレス接続制御を行う場合以外は、ＭＰＥＧデコーダとして動作する。この時にシステム制御部１６７から与えられるＳＴＣオフセットは０または任意の値であり、図３０におけるＳＴＣ切替スイッチ１６２ａ〜１６２ｅは常にＳＴＣ１６３側が選択される。
【０２０３】
次に、システムストリーム＃１とシステムストリーム＃２というＳＴＣ値の連続しない２つのシステムストリームがシステムデコーダ１６１に連続入力される場合の、システムストリームの接続部におけるＳＴＣ切替スイッチ１６２ａ〜１６２ｅの切替及び、ＳＴＣ１６３の動作について図３８のフローチャートを用いて説明する。
【０２０４】
入力されるシステムストリーム＃１とシステムストリーム＃２のＳＣＲ、ＡＰＴＳ、ＶＰＴＳ、ＶＤＴＳ説明は省略する。
【０２０５】
ＳＴＣ１６３には予め、再生中のシステムストリーム＃１に対応したＳＴＣ初期値がＳＴＣ設定部１６５からセットされて、再生動作とともに順次カウントアップ中であるとする。
【０２０６】
まずシステム制御部１６７（図５）は、先に述べた方法によりＳＴＣオフセットの値を算出しておき、システムストリーム＃１の最後のパックがデコーダバッファに入力されるまでにこの値をＳＴＣオフセット合成部１６４にセットしておく。ＳＴＣオフセット合成部１６４はＳＴＣ１６３の値からＳＴＣオフセット値の減算値を出力し続ける（ステップ１６８ａ）。
【０２０７】
ＳＴＣ切替タイミング制御部１６６は、先に再生されるシステムストリーム＃１中の最後のパックがデコーダバッファに入力される時刻Ｔ１を得、時刻Ｔ１においてＳＴＣ切替スイッチ１６２ａをＳＴＣオフセット合成部１６４の出力側に切り替える（ステップ１６８ｂ）。
【０２０８】
以降、システムデコーダ１６１の参照するＳＴＣ値には、ＳＴＣオフセット合成部１６４の出力が与えられ、システムストリーム＃２のシステムデコーダ１６１への転送タイミングは、システムストリーム＃２のパックヘッダ中に記述されたＳＣＲにより決定される。
【０２０９】
次にＳＴＣ切替タイミング制御部１６６は、先に再生されるシステムストリーム＃１の最後のオーディオフレームの再生が終了する時刻Ｔ２を得、時刻Ｔ２においてＳＴＣ切替スイッチ１６２ｂをＳＴＣオフセット合成部１６４の出力側に切り替える（ステップ１６８ｃ）。
【０２１０】
時刻Ｔ２を得る方法については後述する。
【０２１１】
以降、オーディオデコーダ１６０の参照するＳＴＣ値には、ＳＴＣオフセット合成部１６４の出力が与えられ、システムストリーム＃２のオーディオ出力のタイミングは、システムストリーム＃２のオーディオパケット中に記述されたＡＰＴＳにより決定される。
【０２１２】
次にＳＴＣ切り替えタイミング制御部１６６は、先に再生されるシステムストリーム＃１のメイン信号とサブ信号の最後のビデオフレームのデコードが終了する時刻Ｔ３、Ｔ３を得、時刻Ｔ３、Ｔ３においてＳＴＣ切替スイッチ１６２ｃ、１６２ｄをＳＴＣオフセット合成部１６４の出力側に切り替える（ステップ１６８ｄ）。時刻Ｔ３を得る方法については後述する。以降、ビデオデコーダ６９ｃ、６９ｄの参照するＳＴＣ値には、ＳＴＣオフセット合成部１６４の出力が与えられ、システムストリーム＃２のビデオデコードのタイミングは、システムストリーム＃２のビデオパケット中に記述されたＶＰＴＳにより決定される。次にＳＴＣ切り替えタイミング制御部１６６は、先に再生されるシステムストリーム＃１の最後のビデオフレームの再生出力が終了する時刻Ｔ４を得、時刻Ｔ４においてＳＴＣ切替スイッチ１６２ｅをＳＴＣオフセット合成部１６４の出力側に切替える（ステップ１６８ｅ）。時刻Ｔ４を得る方法については後述する。
【０２１３】
以降、ビデオ出力切替スイッチ１６９及び副映像デコーダ１５９の参照するＳＴＣ値には、ＳＴＣオフセット合成部１６４の出力が与えられ、システムストリーム＃２のビデオ出力及び副映像出力のタイミングは、システムストリーム＃２のビデオパケット及び副映像パケット中に記述されたＶＰＴＳとＳＰＴＳにより決定される。
【０２１４】
これらＳＴＣ切替スイッチ１６２ａ〜１６２ｅのスイッチの切替が終了した時点で、ＳＴＣ設定部１６５は、ＳＴＣオフセット合成部１６４から与えられている値をＳＴＣ１６２に設定し（ステップ１６８ｆ）（これをＳＴＣ１６３のリローデイングと呼ぶ）、ステップ１６２ａ〜１６２ｅの全てのスイッチをＳＴＣ１６３側に切り替える（ステップ１６８ｇ）。
【０２１５】
以降、オーディオデコーダ１６０、ビデオデコーダ６９ｄ、６９ｃ、ビデオ出力切替スイッチ１６９及び副映像デコーダ１５９の参照するＳＴＣ値には、ＳＴＣ１６３の出力が与えられ、通常動作に戻る。
【０２１６】
ここで、ＳＴＣの切替タイミングである時刻Ｔ１〜Ｔ４を得る方法として２つの手段について説明する。
【０２１７】
一つ目の手段としては、時刻Ｔ１〜Ｔ４はストリーム作成時に容易に計算し得るため、予め時刻Ｔ１〜Ｔ４を表す情報をディスクに記述し、システム制御部２１がこれを読み出して、ＳＴＣ切替タイミング制御部１６６に伝える方法である。
【０２１８】
特に、Ｔ４については、ＳＴＣオフセットを求める際に使用する、ＤＳＩに記録されている「ＶＯＢ再生終了時刻（ＶＯＢ＿Ｅ＿ＰＴＭ）」がそのまま使用できる。
【０２１９】
この時に記録する値は、先に再生するシステムストリーム＃１で使用するＳＴＣの値を基準として記述し、ＳＴＣ切替タイミング制御部１６６は、ＳＴＣ１６３のカウントアップする値が時刻Ｔ１〜Ｔ４になった瞬間にＳＴＣ切り替えスイッチ１６２ａ〜１６２ｅを切り替える。
【０２２０】
２つ目の手段としては、トラックバッファ２３、ビデオデコーダバッファ１７１、１７１ａ及びオーディオデコーダバッファ１７２に、システムストリーム＃２の先頭データを書き込んだタイミングから、読み出すタイミングを得る方法である。
【０２２１】
トラックバッファ２３が、書き込みポインターと読み出しポインターとデータメモリから構成されるリングバッファであると仮定すると、具体的には、システム制御部２１は、トラックバッファ２３内の書き込みポインターの指すアドレスと読み出しポインターの指すアドレスを読み出す構成とし、目標パックを書き込んだ際の書き込みポインターの指すアドレスと読み出しポインターの指すアドレスから、その直前に書き込まれたパックが読み出される瞬間を検出する。
【０２２２】
システム制御部２１は、システムストリーム＃１からシステムストリーム＃２の再生に移行する際、光ディスク上のシステムストリーム＃２の先頭アドレスを指定して読み出すため、システムストリーム＃２の先頭データがトラックバッファ２３に格納される瞬間を知る。次に、システムストリーム＃２の先頭のパックを書き込んだアドレスをマークして、その一つ前のパックを読み出し終える瞬間をＴ１とすることで、時刻Ｔ１が得られる。
【０２２３】
システム制御部２１は、Ｔ１を得た瞬間にこれをビデオデコーダ６９ｃ、６９ｄ、オーディオデコーダ１６０に知らせることで、ビデオデコーダ６９ｃ、６９ｄ及びオーディオデコーダ１６０は、以降の転送においてビデオバッファ１７１及びオーディオバッファ１７２システムストリーム＃２の先頭のパケットが転送されることを知る。
【０２２４】
従って、トラックバッファ２１のバッファ管理と同様にして、各デコーダバッファの管理を行うことで２つのビデオデコーダ６９ｃ、６９ｄ及びオーディオデコーダ１６０は、システムストリーム＃１の最後のパケットの転送される瞬間を得、Ｔ２、Ｔ３を得る。
【０２２５】
但し、Ｔ１の検出がビデオデコーダバッファ１７１或いはオーディオデコーダバッファ１７２から全てのデータが読み出されて（システムストリーム＃１の最後のフレームのデコードが行われた直後）且つ、書き込むデータがまだ到着していない場合（パック間の転送時間が空いている場合）には、書き込むデータがないためアドレス管理ができない。しかしこの場合も、次のデコードタイミング（システムストリーム＃２の先頭フレームのデコードタイミング）までの間に次にデコードすべきフレームのパケットは確実に転送されるため、このパケットが転送された瞬間をＴ２或いはＴ３とすることで、切替タイミングを知ることができる。
【０２２６】
なお、Ｔ４については先に述べたように、ＤＳＩパケット中に記述された「システムストリーム＃１のビデオの最後のフレームの表示終了時刻（ＶＯＢ＿Ｅ＿ＰＴＭ）」をそのまま用いれば良い。
【０２２７】
次に第２のシームレス再生の方法を述べる。
【０２２８】
図３１はシステムストリームが図３８のデータ復号処理部に入力されてからデコーダバッファ及びデコード処理を経て、どのようなタイミングでそれぞれ再生出力されるかを示す図である。図３１を用いて、システムストリーム＃１とシステムストリーム＃２とを接続する部分でのＡＰＴＳ及びＶＰＴＳの各値の変化を説明し、実際にストリームを処理する動作におけるシームレス接続部分でのＡＶ同期制御の方法を説明する。
【０２２９】
次に図３１のグラフを用いて、図４３に示したフローチャートの流れ通りにシームレス接続制御を行う方法を説明する。
【０２３０】
シームレス接続制御の起動のタイミングは図３１（３）のＳＣＲのグラフで得られる。このグラフのＳＣＲの値が増加し続けている期間は、システムストリーム＃１がトラックバッファ２３（図５）からデータ復号処理部１６（図５）に対して転送されている期間であり、システムストリーム＃１の転送が終了してシステムストリーム＃２の転送が開始されたＧ点のみ、ＳＣＲの値が「０」となる。従って、ＳＣＲの値が「０」となるＧ点を判別することで、新しいシステムストリーム＃２がデータ復号処理部１６に入力されたことがわかり、この時点（時刻Ｔｇ）で、同期機構制御部は再生出力部のＡＶ同期機構をＯＦＦ（解除）すれば良い。
【０２３１】
また、ＳＣＲの値が「０」であることの検出は、光ディスクから読み出した信号を信号処理した後もしくは、トラックバッファ２３に書き込む際にも可能である。このポイントでの検出を元にＡＶ同期機構をＯＦＦしても良い。
【０２３２】
次に、ＯＦＦしたＡＶ同期機構をＯＮ（開始）するタイミングであるが、オーディオとビデオとが合わないちぐはぐな再生を防ぐためには、システムストリーム＃１に含まれるオーディオ出力及びビデオ出力の両方が新しいシステムストリーム＃２に変わったことを知る必要がある。オーディオ出力が新しいシステムストリーム＃２のものに変わった瞬間は、ＡＰＴＳの値の増加が途切れたＨ点を検出することで知ることができる。また、同様にしてビデオ出力が新しいシステムストリーム＃２のものに変わった瞬間は、ＶＰＴＳの値の増加が途切れたＩ点を検出することで知ることができる。従って、同期機構制御部は、Ｈ点及びＩ点の両方が出現したことを知った後、直ちに（時刻Ｔｉにて）ＡＶ同期を再起動すれば良い。
【０２３３】
時刻Ｔｇから時刻Ｔｉの期間において、ＳＴＣにＳＣＲの値をセットしない場合或いは、ＡＰＴＳの値とＶＰＴＳの値とを直接比較している場合には、ＡＶ同期機構をＯＦＦしている期間をさらに短くすることができる。
【０２３４】
これには、データ復号処理部１６から出力されるオーディオ出力データのＡＰＴＳ及びビデオ出力データのＶＰＴＳの両方の値を監視し、どちらか一方で先にその値が減少する方についてこれを検出して直ちに、すなわち図３１においては時刻Ｔｈで、ＡＶ同期機構をＯＦＦすれば良い。
【０２３５】
ただし、これまで説明したようにＡＰＴＳの値及びＶＰＴＳの値の増加が継続しているか否かによるタイミング判定を行う場合は、システムストリームが接続された点においてＡＰＴＳの値及びＶＰＴＳの値が必ず減少する必要があることは自明である。これは言い換えれば、システムストリームの中のＡＰＴＳ、ＶＰＴＳの初期値の最大値よりも、システムストリームの中の最終のＡＰＴＳの値、ＶＰＴＳの値が大きな値であればよい。
【０２３６】
ＡＰＴＳ及びＶＰＴＳの初期値（図中△Ｔａｄ、△Ｔｖｄ）の最大値は次のようにして定まる。
【０２３７】
ＡＰＴＳ及びＶＰＴＳの初期値は、ビデオデータ及びオーディオデータをビデオバッファ及びオーディオバッファ内にそれぞれ蓄える時間と、ビデオのリオーダ（ＭＰＥＧビデオでは、ピクチャのデコード順序と表示順序とは一致しておらず、デコードに対して表示が最大で１ピクチャ遅れる）との和である。従って、ビデオバッファ及びオーディオバッファが満杯になるまでに要する時間とビデオのリオーダによる表示の遅れ（１フレーム時間）の和がＡＰＴＳ及びＶＰＴＳの初期値の最大値となる。
【０２３８】
従って、システムストリームを作成する際には、システムストリーム中の最終のＡＰＴＳ及びＶＰＴＳの各値が必ずこれらの値を超えるように構成すればよい。
【０２３９】
これまで本実施の形態では、システムストリーム接続後のＡＶ同期機構ＯＮのタイミングの判断基準について、ＡＰＴＳ及びＶＰＴＳの各値が増加しているか否かを判定する方法で述べてきたが、次に述べるようなしきい値判定でも実現可能である。
【０２４０】
まず予め、再生装置側で図３１の（４）と（５）のグラフに示すオーディオしきい値及びビデオしきい値をそれぞれ決めておく。これらの値は、システムストリーム中におけるＡＰＴＳ及びＶＰＴＳの各値の初期値の最大値に等しく、上述の最大値と同様である。
【０２４１】
そしてＡＰＴＳ読み出し手段及びＶＰＴＳ読み出し手段で読み出したＡＰＴＳ及びＶＰＴＳの各値が、それぞれオーディオしきい値及びビデオしきい値以下になるか否かで判定を行う。ＡＰＴＳ及びＶＰＴＳの各値が、オーディオしきい値及びしきい値よりも大きければ新しいシステムストリームの出力データには変わっておらず、以下になれば新しいシステムストリームの出力データが開始されたことになり、ＡＶ同期機構のＯＦＦもしくはＯＮのタイミングを知ることができる。
【０２４２】
以上で説明したようなＡＶ同期機構のＯＮ／ＯＦＦ制御を行うことにより、システムストリームの接続部分において、再生状態に乱れを生じないシームレスな再生を行うことができる。
【０２４３】
基本映像信号と補間映像信号を、１ＧＯＰ以上のフレーム群に各々分割し、交互にインターリーブしてインターリーブブロック５４、５５として光ディスク上に記録することにより、プログレシブ（立体）対応型再生装置では、奇数フィールド（右眼用）と偶数フィールド（左眼用）右と左のインターリーブブロックの双方の情報を再生することによりプログレシブ（立体）映像を得ることができる。またプログレシブ（立体）非対応型再生装置で、プログレシブ（立体）映像を記録したディスクを再生した場合は、奇数フィールド（右眼）もしくは偶数フィールド（左眼）のインターリーブブロックの一方のみをトラックジャンプして再生することにより、完全な２次元の通常映像を得ることができる。こうして相互互換性が実現するという効果がある。
【０２４４】
とくにプログレシブ（立体）映像の配置情報ファイルを設け、プログレシブ（立体）映像識別子を光ディスクに記録してある。従ってどこにプログレシブ（立体）映像が存在するか容易に判別できるので２つの通常インターレース信号をプログレシブ化することや立体テレビの左目と右目に、誤って異なる２つのコンテンツの画像をそれぞれ出力する失敗を防止できるという効果がある。
【０２４５】
立体映像対応再生装置では２次元で用いるポインターを用いて、立体映像識別子がある場合のみ、アクセス手順を変更する本発明の方法を使うことにより、立体映像を連続して再生することを可能としている。２次元のフォーマットを変更することなしに立体映像対応再生装置を実現することができる。
【０２４６】
尚、本発明の第１の局面によれば、第１解像度をもつ原映像信号を、垂直方向もしくは/かつ水平方向に映像信号を分離する映像分離手段により、第１解像度より低い第２解像度をもつ第１映像ストリームと第２映像ストリームを含む少なくとも２つ以上の映像ストリームに分離し、かつ前記映像ストリームの各々は可変長符号化されたＭＰＥＧ信号と、前記原映像信号を復号するための時間情報から構成され、かつ各々の映像ストリームをデータ分離手段により１ＧＯＰ(Ｇｒｏｕｐ  Ｏｆ  Ｐｉｃｔｕｒｅｓの略)以上３０ＧＯＰ以下のデータユニットであるインターリーブブロックに分割し、すくなくとも、前記第１映像ストリームの第１インターリーブブロックと、前記第２映像ストリームの第２インターリーブブロックを、光ディスク上のトラック上に特定の順番で複数回記録し、かつ各々の前記インターリーブブロックは少なくとも１本以上のトラックにわたり連続して記録されていることを特徴とする光ディスク、であってもよい。
【０２４７】
尚、本発明の第２の局面によれば、前記第１映像ストーリームは符号化されたＮＴＳＣもしくはＰＡＬもしくはＳＥＣＡＭの信号を含む光ディスク、であってもよい。
【０２４８】
尚、本発明の第３の局面によれば、すくなくとも第１インターリーブブロックと、前記第１インターリーブブロックに記録された時間情報と略略同じ時間情報が記録された第２インターリーブブロックとが、光ディスク上の概略同一領域に特定の順番で記録されたことを特徴とする光ディスク、であってもよい。
【０２４９】
尚、本発明の第４の局面によれば、第１解像度をもつ原映像信号を、垂直方向もしくは／かつ水平方向に映像信号を分離する映像分離手段により、第１解像度より低い第２解像度をもつ第１映像ストリームと第２映像ストリームを含む複数の映像ストリームに分離し、かつ前記映像ストリームの各々は可変長符号化されたＭＰＥＧ信号と、前記原映像信号を同期して復号するための時間情報から構成され、かつ各々の映像ストリームをデータ分離手段により１ＧＯＰ以上３０ＧＯＰ以下のフレーム信号を含むデータユニットに分割し、すくなくとも、前記第１映像ストリームの第１データユニットを記録した第１インターリーブブロックと、前記第２映像ストリームの第２データユニットを記録した第２インターリーブブロックを、光ディスク上のトラック上に特定の順番に配置し、かつ各々の前記インターブロックは１本以上のトラックにわたり連続して記録されたことを示す分離識別情報を光ディスク上に記録したことを特徴とする光ディスク、であってもよい。
【０２５０】
尚、本発明の第５の局面によれば、第１映像ストーリーム以外の映像ストリームの再生を特定の再生装置において制限する情報が光ディスク上に記録されていることを特徴とする光ディスク、であってもよい。
【０２５１】
尚、本発明の第６の局面によれば、フィルター手段により、原映像信号の垂直方向もしくは/かつ水平方向の高域成分を減衰させた原映像信号を、映像分離手段において、分離して得た第１映像ストリームを記録したことを特徴とする光ディスク、であってもよい。
【０２５２】
尚、本発明の第７の局面によれば、フィルター手段により、原映像信号の垂直方向もしくは/かつ水平方向の高域成分を減衰させた上で、映像分離手段において、原映像信号から第１映像ストリームを得たことを示すフィルタリング識別子が光ディスクに記録されていることを特徴とする光ディスク、であってもよい。
【０２５３】
尚、本発明の第８の局面によれば、原映像信号としてプログレッシブ映像信号を用い、前記プログレッシブ映像信号を、垂直方向に分離する映像分離手段により、奇数ラインのフィールドで始まる第１インターレース映像信号と偶数ラインのフィールドで始まる第２インターレース映像信号に分離し、前記第１インターレース信号もしくは前記第２インターレース信号を第１映像ストーリーム、もう一方のインターレース映像信号を第２映像ストリームとして記録したことを特徴とする光ディスク、であってもよい。
【０２５４】
尚、本発明の第９の局面によれば、第１インターレース信号以外の映像ストリームの、特定の再生装置における再生を制限する制限情報が光ディスク上に記録されていることを特徴とする光ディスク、であってもよい。
【０２５５】
尚、本発明の第１０の局面によれば、プログレッシブ信号の垂直方向の高域成分を減衰させた信号を、映像分離手段において分離し、インターレース信号を得たことを特徴とする光ディスク、であってもよい。
【０２５６】
尚、本発明の第１１の局面によれば、原映像信号としてプログレッシブ映像信号を用い、前記プログレッシブ映像信号を、垂直方向に二つに分離する映像分離手段により、奇数ラインのフィールドで始まる第１インターレース映像信号と偶数ラインのフィールドで始まる第２インターレース映像信号に分離し、第１インターレース信号を第１映像ストーリーム、第２インターレース映像信号と第１インターレース信号との差分情報を第２映像ストリームとして記録したことを特徴とする光ディスク、であってもよい。
【０２５７】
尚、本発明の第１２の局面によれば、映像分離手段において、プログレッシブ信号に垂直方向の高域成分を除去するローパスフィルターを通過させインターレース信号を得たことを示す識別子が光ディスクに記録されていることを特徴とする光ディスク、であってもよい。
【０２５８】
尚、本発明の第１３の局面によれば、原映像信号としてプログレッシブ映像信号を用い、前記プログレッシブ映像信号を、垂直方向に二つに分離する映像分離手段により、奇数ラインのフィールドで始まる第１インターレース映像信号と偶数ラインのフィールドで始まる第２インターレース映像信号に分離し、前記第１インターレース信号もしくは前記第２インターレース信号を第１映像ストーリーム、もう一方のインターレース映像信号を第２映像ストリームとするとともに、第２映像ストリームの偶数ラインのフィールドで始まる第２インターレース映像信号のＶＯＢ（Ｖideo  Ｏbjectの略）の先頭部に、すくなくとも一つの奇数ラインのフィールド信号を追加したことを特徴とする光ディスク、であってもよい。
【０２５９】
尚、本発明の第１４の局面によれば、原映像信号としてプログレッシブ映像信号を用い、前記プログレッシブ映像信号を、垂直方向に二つに分離する映像分離手段により、奇数ラインのフィールドで始まる第１インターレース映像信号と偶数ラインのフィールドで始まる第２インターレース映像信号に分離し、前記第１インターレース信号もしくは前記第２インターレース信号を第１映像ストーリーム、もう一方のインターレース映像信号を第２映像ストリームとし、第２映像ストリームのインターリーブブロックのＭＰＥＧデータのフィールド識別情報を偶数フィールド開始識別情報から奇数フィールド開始識別情報に変更したことを特徴とする光ディスク、であってもよい。
【０２６０】
尚、本発明の第１５の局面によれば、第１映像ストリームと第２映像ストリームとを含む少なくとも２つ以上の映像ストリームが１ＧＯＰ以上３０ＧＯＰ以下のインターリーブブロック単位で分割され特定の順番で記録された光ディスクを再生し、少なくとも、第１映像ストリームの第１時間情報をもつ第１インターリーブブロックと、前記第１時間情報と略々同じ第２時間情報をもつ第２インターリーブブロックを特定の順番で再生し、バッファメモリ部に蓄積し、第１インターリーブブロックのデータを第１復号手段を用いて第１映像信号を復号し、第２インターリーブブロックのデータを第２復号手段を用いて第２映像信号を復号し、合成部により第１映像信号と第２映像信号を、前記第１時間情報もしくは／かつ前記第２時間情報に基づいて同期させて１つの映像信号に合成し、出力部により出力することを特長とする再生装置、であってもよい。
【０２６１】
尚、本発明の第１６の局面によれば、原映像信号が、少なくとも第１映像ストリームと第２映像ストリームとから合成され復号されることを示す合成識別情報を合成識別情報検出手段が光ディスクから検出した場合には、合成部において１つの映像信号に合成することを特長とする再生装置、であってもよい。
【０２６２】
尚、本発明の第１７の局面によれば、映像信号のビデオブロックが第２インターリーブブロックの次に第１インターリーブブロックが記録されている光ディスクを再生し、まず、第２インターリーブブロックの第２映像データを再生し、バッファメモリ手段に蓄積し、次に第１インターリーブブロックの第１映像データを再生し、前記バッファメモリ手段に蓄積するとともに、第１インターリーブブロックに記録されている第１時間情報を優先的に用い、同期時間情報を作成し、前記第１映像データのデータを前記同期時間情報に基づいて第１デコーダにより第１映像信号に復号し、前記第２映像データを前記同期時間情報に同期させて、第２映像デコーダにより、第２映像信号を復号し、合成部において前記第１映像信号と前記第２映像信号を前記第１時間情報もしくは／かつ前記第２時間情報もしくは／かつ前記同期時間情報により同期させて、１つの映像信号を合成し、出力部より出力することを特長とする再生装置、であってもよい。
【０２６３】
尚、本発明の第１８の局面によれば、第１インターリーブブロックの音声データを再生し、バッファメモリに優先的に蓄積し、音声デコーダにより音声信号を復号し、映像音声同期手段により、映像信号と同期させ出力することを特長とする再生装置、であってもよい。
【０２６４】
尚、本発明の第１９の局面によれば、映像信号の垂直方向もしくは／かつ水平方向の高域信号を減衰させるローパスフィルタ部を設け、第１映像信号と第２映像信号を合成部において、合成した合成映像信号を出力部より出力させる場合には前記ローパスフィルタ部を通過させないで出力させる一方で、水平方向もしくは垂直方向に分離する映像分離手段により、前記合成映像信号より、低い解像度の分離映像信号を得る場合には、前記合成映像信号を前記ローパスフィルタ部を通過させて前記分離映像信号を得ることを特徴とする再生装置、であってもよい。
【０２６５】
尚、本発明の第２０の局面によれば、光ディスク上の第１ストリームもしくは／かつ第２映像ストリームの高域信号が、減衰されて記録されていることを示すフィルタリング識別情報を前記光ディスクより再生した時は、前記フィルタリング識別情報に基づいてローパスフィルタ部を作動させないことを特徴とする再生装置、であってもよい。
【０２６６】
尚、本発明の第２１の局面によれば、第１復号手段を用いて、基本映像信号を復号し、第２復号手段を用いて、補間映像信号を複合し、合成部において、前記基本映像信号と前記補間映像信号より、１つの合成映像信号を合成し、出力部より出力することを特徴とする再生装置、であってもよい。
【０２６７】
尚、本発明の第２２の局面によれば、補間映像信号として、合成映像信号と基本映像信号との差分信号を再生し、合成部の中の差分復号手段において、前記差分信号と前記基本映像信号から合成映像信号を復号するとことを特徴とする再生装置、であってもよい。
【０２６８】
尚、本発明の第２３の局面によれば、２つ以上の復号手段を持ち、少なくとも、第１映像信号として第１インターレース信号を第１復号手段により復号し、第２映像信号として第２インターレース信号を第２復号手段他より復号し、前記第１インターレース信号と前記第２インターレース信号を合成部において、同期させてプログレシブ信号に合成し、出力部より出力することを特徴とする再生装置であってもよい。
【０２６９】
尚、本発明の第２４の局面によれば、プログレシブ信号を垂直方向のローパスフィルタにより高域成分を減衰させた上で、分離手段により奇数ラインの奇数フィールド信号と偶数ラインの偶数フィールド信号に分離し、奇数フィールド信号と偶数フィールド信号を出力部により、交互に出力し、インターレース信号を出力することを特徴とする再生装置であってもよい。
【０２７０】
尚、本発明の第２５の局面によれば、出力部として第１出力部と第２出力部をもち、第１出力からプログレシブ信号、第２出力部からインターレース信号とを出力することを特徴とする再生装置であってもよい。
【０２７１】
尚、本発明の第２６の局面によれば、立体映像信号を、映像分離手段により、右眼用の第１映像ストリームと左眼用の第２映像ストリームを含む少なくとも２つ以上の映像ストリームに分離し、かつ前記映像ストリームの各々は可変長符号化されたＭＰＥＧ信号と、前記原映像信号を復号するための時間情報から構成され、かつ各々の映像ストリームを第２分離手段により１ＧＯＰ以上３０ＧＯＰ以下のフレーム信号を含むデータユニットであるインターリーブブロックに分割し、すくなくとも、前記第１映像ストリームの第１インターリーブブロックと、前記第２映像ストリームの第２インターリーブブロックを、光ディスク上のトラック上に特定の順番で複数回記録し、かつ各々の前記インターブロックは少なくとも１本以上のトラックにわたり連続して記録されていることを特徴とする光ディスク、であってもよい。
【０２７２】
尚、本発明の第２７の局面によれば、前記第１映像ストーリームは符号化されたＮＴＳＣもしくはＰＡＬもしくはＳＥＣＡＭの信号から構成されていることを特徴とする光ディスクであってもよい。
【０２７３】
尚、本発明の第２８の局面によれば、すくなくとも前記第１インターリーブブロックの時間情報と、第２インターリーブブロックの時間情報とが、略略同一時間であることを特徴とする光ディスクであってもよい。
【０２７４】
尚、本発明の第２９の局面によれば、立体映像が光ディスク上に記録されていることを示す立体識別情報が前記光ディスク上に記録されていることを特徴とする光ディスク、であってもよい。
【０２７５】
尚、本発明の第３０の局面によれば、第１映像ストーリーム以外の映像ストリームの再生を特定の再生装置において制限する情報が光ディスク上に記録されていることを特徴とする光ディスク、であってもよい。
【０２７６】
尚、本発明の第３１の局面によれば、立体映像信号として右眼用と左眼用の２つのインターレース信号を用い、奇数ラインのフィールドで始まる第１インターレース映像信号と奇数ラインのフィールドで始まる第２インターレース映像信号に分離し、前記第１インターレース信号もしくは前記第２インターレース信号を第１映像ストーリーム、もう一方のインターレース映像信号を第２映像ストリームとしたことを特徴とする光ディスク、であってもよい。
【０２７７】
尚、本発明の第３２の局面によれば、少なくとも２つ以上の映像ストリームで立体映像が記録され、少なくとも、右目画像用の第１映像ストリームが１ＧＯＰ以上３０ＧＯＰ以下の単位で分割され記録された複数の第１インターリーブブロックと、左目画像用の第２映像ストリームが１ＧＯＰ以上３０ＧＯＰ以下の単位で分割され記録された複数の第２インターリーブブロックが、特定の順番で複数回記録された光ディスクを再生し、少なくとも、第１映像ストリームの第１時間情報をもつ第１インターリーブブロックと、第１映像ストリームの第１時間情報と略々同じ第２時間情報をもつ第２インターリーブブロックを特定の順番で再生し、バッファメモリ部に蓄積し、第１インターリーブブロックのデータを第１復号手段を用いて第１映像信号を復号し、第２インターリーブブロックのデータを第２復号手段を用いて第２映像信号を復号し、出力部において、前記第１時間情報もしくは／かつ第２時間情報に同期させて、前記第１映像信号と前記第２映像信号を右目用と左目用に独立した２つの立体映像信号として出力するか、もしくは／かつ前記第１映像信号と前記第２映像信号とを同期させて交互に出力し時分割した１つの立体映像信号として出力することを特徴とする光ディスク再生装置、であってもよい。
【０２７８】
尚、本発明の第３３の局面によれば、光ディスク上に立体識別情報が記録されている場合には、出力部において、第１映像信号と第２映像信号を右目用と左目用に独立した２つの立体映像信号として出力するか、もしくは／かつ前記第１映像信号と前記第２映像信号とを同期させて交互に出力し時分割した１つの立体映像として出力することを特徴とする光ディスク再生装置、であってもよい。
【０２７９】
尚、本発明の第３４の局面によれば、まず、第２インターリーブブロックの第２映像データを再生し、バッファメモリ手段に蓄積し、次に第１インターリーブブロックの第１映像データを再生し、前記バッファメモリ手段に蓄積するとともに、第１インターリーブブロックに記録されている第１時間情報を優先的に用い、同期時間情報を作成し、前記第１映像データのデータを前記同期時間情報に基づいて第１デコーダにより第１映像信号に復号し、前記第２映像データを前記同期時間情報に同期させて、第２映像デコーダにより第２映像信号を復号し、出力部において、前記第１時間情報もしくは／かつ前記第２時間情報もしくは／かつ同期時間情報に同期させて、前記第１映像信号と前記第２映像信号を右目用と左目用に独立した２つの立体映像信号として出力するか、もしくは／かつ前記第１映像信号と前記第２映像信号とを同期させて交互に出力し時分割した１つの立体映像として出力することを特徴とする光ディスク再生装置、であってもよい。
【０２８０】
尚、本発明の第３５の局面によれば、第１インターリーブブロックユニットの音声データを優先的に再生し、バッファメモリに蓄積し、音声デコーダにより音声信号を復号し、映像音声同期手段により、立体映像信号と同期させ出力部より出力することを特長とする光ディスク再生装置、であってもよい。
【０２８１】
尚、本発明の第３６の局面によれば、第１映像信号から右眼用もしくは左眼用の立体映像信号を作成するとともに、第２映像信号から、立体映像信号と第１映像信号との差分信号を再生し、合成部の中の差分復号手段において、前記差分信号と前記第１映像信号から第１映像信号と逆の眼用の立体映像信号を復号することを特徴とする光ディスク再生装置、であってもよい。
【０２８２】
尚、本発明の第３７の局面によれば、第１映像信号として第１インターレース信号を第１復号手段により復号し、第２像信号として第２インターレース信号を第２復号手段より復号することを特徴とする光ディスク再生装置、であってもよい。
【０２８３】
尚、本発明の第３８の局面によれば、出力部として第１出力部と第２出力部をもち、第１出力から立体映像信号、第２出力部から第１映像信号から構成されるインターレース信号とを出力することを特徴とする光ディスク再生装置、であってもよい。
【０２８４】
尚、本発明の第３９の局面によれば、少なくとも１ＧＯＰ以上の動画像データとオーディオデータを含むインターリーブブロックがインターリーブされて記録されている光ディスクより、少なくとも主システムストリームと副システムストリームと前記主システムストリーム間もしくは前記副ストリーム間の接続情報を再生する光ディスク再生装置であって、前記主システムストリームもしくは／かつ前記副システムストリームの再生基準クロックであるＳＴＣを発生するＳＴＣ発生部と、ＳＴＣを基準として動作する少なくとも２つ以上の信号処理用デコーダと、前記信号処理用デコーダに転送される主システムストリームもしくは／かつ副システムストリームのデータを一時記憶するデコーダバッファと、第１の主システムストリームもしくは副システムストリームのデコードにおいて前記信号処理用デコーダが参照するＳＴＣと、第１インターリーブブロックの主システムストリームもしくは副システムストリームに続いて連続再生される第２インターリーブブロックの主システムストリームもしくは／かつ副システムストリームのデコードにおいて前記信号処理用デコーダが参照するＳＴＣを切り替えるＳＴＣ切り替え部を、有する光ディスク再生装置において、特定の時間情報を含む主システムストリームと前記時間情報を含む副システムストリームを再生し、復号部により、画像情報を復号し、少なくとも第１インターリーブブロックの主システムストリームの第１画像情報と第１インターリーブブロックの副システムストリームの第２画像情報を合成部により前記時間情報に基づいて、同期させ１つの映像信号に合成して、出力することを特長とする光ディスク再生装置、であってもよい。
【０２８５】
尚、本発明の第４０の局面によれば、主システムストリームもしくは副システムストリームの管理情報の中に記録されたＳＴＣ切り替えタイミングを参照して、ＳＴＣ切り替え部がＳＴＣを切り替えることを特徴とする光ディスク再生装置、であってもよい。
【０２８６】
尚、本発明の第４１の局面によれば、再生された第１インターリーブブロックの主システムストリームもしくは／かつ副システムストリームのビデオプレゼンテーションタイムスタンプ（ＶＰＴＳ）情報の増加が停止した時に、ＳＴＣ切り替え部がＳＴＣを切り替えることを特徴とする光ディスク再生装置、であってもよい。
【０２８７】
尚、本発明の第４２の局面によれば、光ディスクのビデオデータ先頭部において副システムストリームの次に主システムストリームが記録されている場合、まず、副システムストリームの１インターリーブブロック分のデータをデコーダバッファに蓄積した後、前記副システムストリームと同一の時間情報をもつ主システムストリームのデータを再生し、信号処理用デコーダでデコードを開始することを特徴とする光ディスク再生装置、であってもよい。
【０２８８】
尚、本発明の第４３の局面によれば、デコーダバッファのメモリ容量を主システムストリームもしくは副システムストリームの１インターリーブブロック分の容量以上に設定したことを特徴とする光ディスク再生装置、であってもよい。
【０２８９】
尚、本発明の第４４の局面によれば、第１解像度をもつ原映像信号を、垂直方向もしくは／かつ水平方向に映像信号を分離する映像分離手段により、第１解像度より低い第２解像度をもつ第１映像ストリームと、第２映像ストリームを含む複数の映像ストリームに分離し、かつ前記映像ストリームの各々をＭＰＥＧエンコーダーで可変長符号化し、タイムスタンプ付加手段により同一の原映像信号から分離された前記映像ストリームに同一のタイムスタンプを付加し、かつ各々の前記映像ストリームをデータ分離手段により１ＧＯＰ以上３０ＧＯＰ以下のフレーム信号を含む複数のデータユニットであるインターリーブブロックに分割し、すくなくとも、前記第１映像ストリームの第１インターリーブブロックと、前記第２映像ストリームの第２インターリーブブロックを、光ディスク上のトラック上に特定の順番で記録することを特徴とする光ディスク記録装置、であってもよい。
【０２９０】
尚、本発明の第４５の局面によれば、前記第１映像ストーリームとして、符号化されたＮＴＳＣもしくはＰＡＬもしくはＳＥＣＡＭの信号を含む情報を記録することを特徴とする光ディスク記録装置、であってもよい。
【０２９１】
尚、本発明の第４６の局面によれば、第１映像ストリームと第２映像ストリームとを含む少なくとも２以上の映像ストリームが複数の映像フレームを含む１のＧＯＰ又は複数のＧＯＰから構成されたインターリーブブロックごとに分割され特定の順番で記録された光ディスクを再生し、少なくとも、第１映像ストリームの第１時間情報をもつ第１インターリーブブロックと、前記第１時間情報と略々同じ第２時間情報をもつ第２インターリーブブロックを特定の順番で再生し、バッファメモリ部に蓄積し、第１インターリーブブロックのデータを第１復号手段を用いて第１映像信号を復号し、第２インターリーブブロックのデータを第２復号手段を用いて第２映像信号を復号し、合成部により第１映像信号と第２映像信号を、前記第１時間情報もしくは／かつ前記第２時間情報に基づいて同期させて１つの映像信号に合成し、出力部により出力することを特徴とする光ディスク再生装置であって、原映像信号が、少なくとも第１映像ストリームと第２映像ストリームとから合成され復号されることを示す合成識別情報を合成識別情報検出手段が光ディスクから検出した場合には、合成部において１つの映像信号に合成することを特長とする再生装置、であってもよい。
【０２９２】
尚、本発明の第４７の局面によれば、映像信号のビデオブロックが第２インターリーブブロックの次に第１インターリーブブロックが記録されている光ディスクを再生し、まず、第２インターリーブブロックの第２映像データを再生し、バッファメモリ手段に蓄積し、次に第１インターリーブブロックの第１映像データを再生し、前記バッファメモリ手段に蓄積するとともに、第１インターリーブブロックに記録されている第１時間情報を優先的に用い、同期時間情報を作成し、前記第１映像データのデータを前記同期時間情報に基づいて第１デコーダにより第１映像信号に復号し、前記第２映像データを前記同期時間情報に同期させて、第２映像デコーダにより、第２映像信号を復号し、合成部において前記第１映像信号と前記第２映像信号を前記第１時間情報もしくは／かつ前記第２時間情報もしくは／かつ前記同期時間情報により同期させて、１つの映像信号を合成し、出力部より出力することを特長とする再生装置、であってもよい。
【産業上の利用可能性】
【０２９３】
本発明は立体映像および高画質映像が記録された光ディスクおよび、その光ディスクの再生装置、記録装置に関する。
【符号の説明】
【０２９４】
１    光ディスク
２    記録装置
３    ＭＰＥＧエンコーダ
４    インターリーブ回路
５    Ｒフレーム回路
６    Ｒフレーム群
７    Ｌフレーム回路
８    Ｌフレーム群
９    記録回路
１０    立体画像配置情報
１１    Ｒトラック
１２    Ｌトラック
１３    アドレス回路
１４    立体映像配置表
１５    光ヘッド
１６    ＭＰＥＧデコーダ
１７    映像出力部
１８    音声出力部
１９    入力部
２０    チャンネル選択部
２１    制御部
２２    トラック制御回路
２３    バッファ回路
２４    光再生回路
２５    ＳＷ回路
２６    立体映像配置情報再生部
２７    ＳＷ回路
２８    ＲＬ混合回路
２９    Ｒ出力部
３０    Ｌ出力部
３１    映像出力部
３２    音声出力部
３３    “立体”表示信号出力部
３４    モーター
３５    回転数変更回路
３６    合成部
３７    倍クロック発生部
３８    分離部
３９    メモリ
４０    ２Ｄ再生装置
４１    立体チャンネル出力制御部
４２    表示部
４３    ３Ｄ対応再生装置
４４    第１フレーム群
４５    第２フレーム群
４６    第１タイムドメイン
４７    第２タイムドメイン
４８    偶数フィールド信号
４９    奇数フィールド信号
５０    立体表示出力手順のステップ
５１    立体映像論理配置テーブルの再生ステップ
５２    立体映像論理配置表
５３    立体映像論理配置ファイル
５４    Ｒインターリーブブロック
５５    Ｌインターリーブブロック
５６    第１インターリーブブロック
５７    第２インターリーブブロック
５８    第３インターリーブブロック
５９    第４インターリーブブロック
６０    ポインター
６１    立体識別子
６２    ポインタアクセスのステップ
６５    再生装置
６６    第１インターリーブブロック
６７    第２インターリーブブロック
６８    分離部
６９    伸長部
７０    フレーム映像信号
７１    フィールド分離部
７２    奇数フィールド信号
７３    偶数フィールド信号
７４    インターレース信号
７５    プログレシブ映像信号
７６    合成部
７７    合成信号
７８    分離部
７９    奇数インターレース信号
８０    偶数インターレース信号
８１    フレーム信号
８２    圧縮部
８３    圧縮信号
８４    インターリーブブロック
８５    光ディスク（プログレシブ信号）
８６    再生装置
８７    分離部
８８    伸長部
８９    フレーム信号
９０    合成部
９１    Ａチャンネル
９２    Ｂチャンネル
９３    プログレシブ信号
９４    プログレシブ映像出力部
９５    再生部
９６    圧縮フィルタ
９７    右眼用信号
９８    左眼用信号
９９    記録装置
１０１    合成部
１０２    フレーム信号
１０３    圧縮部
１０４    再生装置
１０５    出力変換部
１０６    光ディスク（プログレシブ／立体）
１０７    再生装置
１０８    インターリーブブロック
１０９    分離部
１１０    プログレシブ出力部
１１１    第１ストリーム
１１２    第２ストリーム
１１３    インターリーブ部
１１４    画像分離部
１１５    画像分離部
１１６    差分部
１１７    記録ストリーム
１１８    第１ＶＯＢ
１１９    第２ＶＯＢ
１２０    ダミーフィールド生成手段
１２１    ダミーフィールド
１２２    ダミーフィールド追加手段
１２３    フレーム符号化部
１２４    フィールド符号化部
１２５    フィールド対
１２６    フィールド対
１２７    フレーム符号化信号
１２８    フレーム符号化信号
１２９    フィールド符号化信号
１３０    オフセット時間
１３１    バッファ部
１３２    ダミーフィールド迂回手段
１３３    同期手段
１３４    音声信号
１３５    プログレシブ処理切替部
１３６    インターレース信号
１３７    符号化情報迂回手段
１３８    ステップ（ダミーフィールド）
１３９    インターレース変換部
１４０    インターレース妨害除去手段
１４０ａ    インターレース妨害画像検地手段
１４１    インターレース妨害除去フィルタ
１４２    垂直方向フィルタ
１４３    フィルタバイパスルート
１４４    インターレース妨害除去フィルタリング識別子
１４５    直接インターレース出力
１４６    ２倍速命令
１４７    制御部
１４８    インターレースＴＶ
１４９    判別切替回路
１５０    操作入力部
１５１    スロー、静止画再生手段
１５２    フレーム処理部
１５３    ステップ（インターレース／プログレシブ／インターレース変換）
１５４    画像（スコープサイズ）
１５５    光ディスク（シームレスプログレシブ）
１５６    トラックジャンプ
１５７    トラックジャンプ（シームレス）
１５８    ＡＶ同期制御部
１５９    サブピクチャーデコーダ
１６０    音声デコーダ
１６１    システムデコーダ
１６２    ＳＴＣ（システムクロック）切替スイッチ
１６３    ＳＴＣ発生部
１６４    ＳＴＣオフセット合成部
１６５    ＳＴＣ設定部
１６６    ＳＴＣ切替タイミング制御部
１６８    ステップ（ＡＶ同期制御のフローチャート）
１６９    ビデオ出力切替スイッチ
１７０    プログレシブ変換部
１７１    ビデオデコーダバッファ
１７２    オーディオデコーダバッファ
１７３    ワイド画面合成部
１７４    ３−２変換部
１７５    インターレース変換部
１７６    ５２５Ｐ／７２０Ｐ変換部
１７７    ７２０Ｐ画面
１７８    スコープ画面
１７９    合成画像
１８０    インターレース画像
１８１    プログレシブ画像
１８２    プログレシブ画像
１８３    ５２５プログレシブ映像
１８４    ５２５インターレース映像
１８５    補完情報
１８７    光ディスク
１８８    ストリーム
１８９    画像分離部
１９０    水平分離画面
１９１    光ディスク（水平分離）
１９２    垂直方向分離部
１９３    水平方向分離部
１９４    水平垂直方向分離部
１９５    ラインメモリ
１９６    加算機
１９７    ジャンプ時間
１９８    トラックバッファ量
１９９    Ｏｄｄ  Ｆｉｒｓｔ識別子
２００    Ｅｖｅｎ  Ｆｉｒｓｔ識別子
２０１    Ｅｖｅｎ→Ｏｄｄ識別子変換部
２０２    Ｏｄｄ  Ｆｉｒｓｔ識別子（変換後）
２０３    ステップ（プログレシブ判別）
２０４    ステップ（Ｏｄｄ／Ｅｖｅｎ変換）
２０５    動き検出／補償部
２０６    水平フィルタ
２０７    画像水平方向分離部
２０８    画像
２０９    水平分離手段
２１０    垂直分離手段
２１１    画像
２１２    垂直フィルタ
２１３    折り返し歪み発生領域
２１４    時間垂直フィルタ
２１５    プログレシブ出力部
２１６    セル
２１７    Ｐｒｏｖｉｄｅｒ  Ｄｅｆｉｎｅｄ  Ｓｔｒｅａｍ
２１８    プログレシブ識別子
２１９    解像度識別子
２２０    差分識別子
２２１    副ストリーム番号情報
２２２    画像識別子
２２３    立体識別子
２２４    管理情報
２２５    再生手順管理情報
２２６    ＶＯＢ
２２７    ＶＯＢ（サイマルキャスト）
２２８    インターリーブブロック分離部
２２９    ＮＴＳＣデコーダ
２３０    切り替え部
２３１    ＨＤＴＶデコーダ
２３２    音声データ
２３３    インターリーブブロック分離部
２３４    タイムスタンプ付加部
【図１】
2010020898.tif 000003
【図２】
2010020898.tif 000004
【図３】
2010020898.tif 000005
【図４】
2010020898.tif 000006
【図５】
2010020898.tif 000007
【図６】
2010020898.tif 000008
【図７】
2010020898.tif 000009
【図８】
2010020898.tif 000010
【図９】
2010020898.tif 000011
【図１０】
2010020898.tif 000012
【図１１】
2010020898.tif 000013
【図１２】
2010020898.tif 000014
【図１３】
2010020898.tif 000015
【図１４】
2010020898.tif 000016
【図１５】
2010020898.tif 000017
【図１６】
2010020898.tif 000018
【図１７】
2010020898.tif 000019
【図１８】
2010020898.tif 000020
【図１９】
2010020898.tif 000021
【図２０】
2010020898.tif 000022
【図２１】
2010020898.tif 000023
【図２２】
2010020898.tif 000024
【図２３】
2010020898.tif 000025
【図２４】
2010020898.tif 000026
【図２５】
2010020898.tif 000027
【図２６】
2010020898.tif 000028
【図２７】
2010020898.tif 000029
【図２８】
2010020898.tif 000030
【図２９】
2010020898.tif 000031
【図３０】
2010020898.tif 000032
【図３１】
2010020898.tif 000033
【図３２】
2010020898.tif 000034
【図３３】
2010020898.tif 000035
【図３４】
2010020898.tif 000036
【図３５】
2010020898.tif 000037
【図３６】
2010020898.tif 000038
【図３７】
2010020898.tif 000039
【図３８】
2010020898.tif 000040
【図３９】
2010020898.tif 000041
【図４０】
2010020898.tif 000042
【図４１】
2010020898.tif 000043
【図４２】
2010020898.tif 000044
【図４３】
2010020898.tif 000045
【図４４】
2010020898.tif 000046
【図４５】
2010020898.tif 000047
【図４６】
2010020898.tif 000048
【図４７】
2010020898.tif 000049
【図４８】
2010020898.tif 000050
【図４９】
2010020898.tif 000051
【図５０】
2010020898.tif 000052
【図５１】
2010020898.tif 000053
【図５２】
2010020898.tif 000054
【図５３】
2010020898.tif 000055
【図５４】
2010020898.tif 000056
【図５５】
2010020898.tif 000057